(57)【特許請求の範囲】
【請求項１】
所定の間隙を介して接合され少なくとも一方が透明な一対の基板と、前記一対の基板間に備えられた液晶層と、該液晶層の背面側に設けられた反射手段と、表示面に照射光を照射する照射手段とを有する反射型液晶表示装置において、
前記照明装置は、前記表示面の前方の斜め方向に設けられて、前記表示面の上部に入射する照明光の角度が前記表示面の下部に入射する照明光の角度よりも小さくなるようにして前記表示面を照明する光出射部を有し、
前記反射手段は、傾斜した反射面を有する断面形状が非対称な３角溝（柱）状の複数の微細構造をなして前記反射面の角度は表示面内で連続的に変化しており、もしくは断面形状が非対称な傾斜角分布を有する複数の微小な凸部形状をなして照明光を反射する前記表示面を有する反射部を有し、さらに前記反射手段は前記反射面もしくは前記反射部の前記表示面の正反射成分の割合が表示面下部から表示面上部に向かって連続的に小さくなるように構成されていることを特徴とする反射型液晶表示装置。
【請求項２】
請求項１において、前記一対の基板のうち前記液晶層の背面側に位置する基板と、前記液晶層との間に、前記反射手段を備えたことを特徴とする反射型液晶表示装置。
【請求項３】
請求項１または請求項２において、前記反射手段は、前記表示面に対して傾斜させた複数の反射面と、該反射面で反射した光を拡散させる光拡散手段とを有することを特徴とする反射型液晶表示装置。
【請求項４】
請求項１または請求項２において、前記反射手段は、複数の凹部、または複数の凸部、または複数の凹凸部が形成された反射面を有し、前記各凹部、または前記各凸部、または前記各凹凸部は、非対称な断面形状をなし、かつ一つの対称軸を有する円弧部を含む平面形状とを有し、前記対称軸は、前記入射する光の主光束の方位角方向と平行となるように設定されていることを特徴とする反射型液晶表示装置。
【請求項５】
請求項１から４のいずれかにおいて、前記反射手段が、ホログラムからなることを特徴とする反射型液晶表示装置。
【請求項６】
請求項１から４のいずれかにおいて、前記表示面側の基板の前面に偏光板が配置され、前記反射型液晶表示装置が高い反射率、高いコントラスト比が得られる光の入射方向と、前記照明装置からの照明光の入射方向とが略一致するように構成されていることを特徴とする反射型液晶表示装置。
【請求項７】
請求項１において、前記照明装置から斜めに入射する照明光に対して、暗表示の透過率が高くなるように、前記表示面側の基板の前面に偏光板と位相差板とを配置し、前記反射手段と前記反射手段側の基板との間に偏光板を配置し、かつ前記表示面側の偏光板の吸収軸の方位角は２５５°、前記位相差板の遅相軸の方位角は１８５°、前記表示面側の基板側の液晶配向軸の方位角は１０５°、前記反射手段側の基板側の液晶配向軸の方位角は１６５°、前記反射手段側の偏光板の吸収軸の方位角は１２０°であることを特徴とする反射型液晶表示装置。
【請求項８】
請求項１において、前記光出射部は、前記反射型液晶表示装置の横幅と同等、或いはそれ以上の横幅を有し、前記表示面の前方で、かつ上方、或いは下方に配置されることを特徴とする反射型液晶表示装置。
【請求項９】
請求項１において、前記表示面側の基板と前記液晶層との間にカラーフィルタを配置し、前記カラーフィルタは、前記前記照明装置からの照明光の主光束の方位角方向と平行となる方向へ連続的に形成されていることを特徴とする反射型液晶表示装置。
【請求項１０】
入射する光の反射光量を変調し画像として出力する反射型液晶表示装置と、該反射型液晶表示装置の表示面に照明光を照射する照明装置と、前記反射型液晶表示装置及び前記照明装置を制御する機器本体と、該機器本体に設けられ前記照明装置を支持する可動支持部とを備えた機器において、
前記反射型液晶表示装置は、所定の間隙を介して接合され少なくとも一方が透明な一対の基板と、前記一対の基板間に備えられた液晶層と、該液晶層の背面側に設けられた反射手段とを有し、前記照明装置は、前記表示面の前方の斜め方向に設けられて、前記表示面の上部に入射する照明光の角度が前記表示面の下部に入射する照明光の角度よりも小さくなるようにして前記表示面を照明する光出射部を有し、
前記反射手段は、傾斜した反射面を有する断面形状が非対称な３角溝（柱）状の複数の微細構造をなして前記反射面の角度は表示面内で連続的に変化しており、もしくは断面形状が非対称な傾斜角分布を有する複数の微小な凸部形状をなして照明光を反射する前記表示面を有する反射部を有し、さらに前記反射手段は前記反射面もしくは前記反射部の前記表示面の正反射成分の割合が表示面下部から表示面上部に向かって連続的に小さくなるように構成されており、
前記照明装置は、前記可動支持部を介して前記表示面の前方に移動可能に配置されることを特徴とする機器。
【請求項１１】
入射する光の反射光量を変調し画像として出力する反射型液晶表示装置と、該反射型液晶表示装置の表示面に照明光を照射する照明装置と、前記反射型液晶表示装置及び前記照明装置を制御する機器本体とを備えた機器において、
前記反射型液晶表示装置は、所定の間隙を介して接合され少なくとも一方が透明な一対の基板と、前記一対の基板間に備えられた液晶層と、該液晶層の背面側に設けられた反射手段とを有し、前記照明装置は、前記表示面の前方の斜め方向に設けられて、前記表示面の上部に入射する照明光の角度が前記表示面の下部に入射する照明光の角度よりも小さくなるようにして前記表示面を照明する光出射部を有し、
前記反射手段は、傾斜した反射面を有する断面形状が非対称な３角溝（柱）状の複数の微細構造をなして前記反射面の角度は表示面内で連続的に変化しており、もしくは断面形状が非対称な傾斜角分布を有する複数の微小な凸部形状をなして照明光を反射する前記表示面を有する反射部を有し、さらに前記反射手段は、前記反射面もしくは前記反射部の前記表示面の正反射成分の割合が表示面下部から表示面上部に向かって連続的に小さくなるように構成されており、
前記照明装置は、前記機器本体に着脱可能に配置されることを特徴とする機器。
【発明の詳細な説明】
【０００１】
【発明の属する技術分野】
本発明は、反射型液晶表示装置及びそれを備えた携帯ゲーム機、携帯情報端末、モバイルコンピュータなどの機器に関するものである。
【０００２】
【従来技術】
一般に、液晶表示装置は、ＣＲＴ（Cathode Ray Tube）、ＰＤＰ（Plasma Display Panel）等の自発光型のディスプレイと異なり、光の透過光量を調節することで画像を表示する非発光型のディスプレイである。液晶表示装置は、大別すると透過型と反射型とに分類できる。
【０００３】
透過型の液晶表示装置は、表示面の背面側に照明装置を備え、照明装置からの照明光により、その表示画像の視認性を高めている。
【０００４】
一方、反射型の液晶表示装置は、液晶層の裏面側に反射部を設け、周囲光を利用して表示を行うものであり、明るい環境下では特定の光源を必要とせず、消費電力を小さくできるという特長がある。特に直射日光の当たるような非常に明るい場所では、発光型ディスプレイや透過型液晶表示装置では表示面表面での外光反射等により表示がほとんど見えなくなるのに対して反射型液晶表示装置ではより鮮明に見えるといった利点もある。
【０００５】
このため、反射型液晶表示装置は、低消費電力化が望まれる携帯情報端末やモバイルコンピューター等の携帯機器、或いは野外での使用が想定されるデジタルカメラ等へ採用されている。
【０００６】
しかし、反射型液晶表示装置は、周囲光を利用して表示を行うため、暗い環境下ではその視認性が悪くなり、特に夜間などの暗闇では表示が全く認識できなくなるという課題を有する。このため、反射型液晶表示装置、及び表示部として反射型液晶表示装置を備える機器では十分な周囲光が得られない場合に備えて何らかの補助照明装置が望まれる。
【０００７】
このような照明装置として従来から様々な照明装置が提案されている。
従来から提案されている照明装置は、大別すると、反射型液晶表示装置の表示面全面を覆うように配置した透明な導光体と導光体の端部に配置した光源とから構成され光源からの出射光を導光体を介して表示面に照射するようにした照明装置（以下、導光体式前方照明装置）と、反射型液晶表示装置の前方であって表示面から離れた場所に光源を配置して光源光を直接表示面に照射するようにした照明装置（以下、投射式前方照明装置）とがある。
【０００８】
導光体式前方照明装置は、例えばSID 95 DIGEST p375-378、特開平5-158034号公報、特開平10-142601号公報等に開示されている。いずれも、導光体の端部に配置した光源からの出射光を導光体に導入し、導光体内を伝播する光のうち導光体の表面、もしくは裏面に形成した突起部、或いはプリズム部（傾斜部）に入射した光が液晶表示装置の表示面に向かって出射し、照明するように構成したものである。
【０００９】
また、投射式前方照明装置を備える表示装置、或いは機器は例えば特開平4-70626号公報、特開平9-211448号公報、特開平10-246886号公報等に開示されている。いずれも反射型液晶表示装置を備える機器本体、或いは機器本体に設けられた支柱、或いは表示部を覆うための蓋部等に光源を設け、前方から表示部を直接照明するようにしたものである。
【００１０】
このような照明装置を有する反射型液晶表示装置を備えた機器では、明るい環境下では照明装置を使用せずに外光のみで表示をみることができ、周囲の照明が暗い場合には照明装置を使用することで良好な視認性を確保するものである。
【００１１】
【発明が解決しようとする課題】
導光体式前方照明装置は、光源からの出射光を導光体に入射させる際の光損失や、導光体内を伝播する光の反射型液晶表示装置と異なる方向への漏れ等により光源光の利用効率が６０％以下と低く、照明装置利用時に消費電力が大きくなるという問題がある。
【００１２】
さらに導光体内を伝播する光を液晶表示装置側へ向かわせる為の溝やマイクロプリズムといった構造体が表示面上に存在することになるため表示を劣化させるといった問題もある。
【００１３】
また、反射型液晶表示装置の前面にタッチパネルを設けた機器では表示面上に導光体があると、その厚みのために入力用ペンで指示した位置と、液晶表示装置の表示との間に大きな視差（ずれ）が生じて使い勝手が悪くなるといった問題がある。
【００１４】
一方、投射式前方照明装置では導光体等の光損失の原因となるような複雑な光学系を必要としないため効率の良い照明が期待できる。さらに表示面上に導光体等の付加部材を配置しないため、表示の劣化や、タッチパネル使用時の視差といった導光体式前方照明装置特有の課題が回避できる。
【００１５】
しかし、投写式前方照明装置では照明装置を機器本体に備える場合、照明装置と反射型液晶表示装置との距離が十分に離せないため、反射型液晶表示装置の表示面を均一に照明することが困難である。つまり、表示面の位置により光源（或いは光出射部）からの距離や、光源と表示面との成す角度（光源と表示面とを結ぶ線の角度）が異なるので照明装置からの照明光の強さや、光入射角度は液晶表示装置の表示面の位置毎に異なり、表示面を均一に照明することができず、表示面内で均一な明るさの表示を得ることが困難という課題がある。
【００１６】
また、投写式前面照明装置では明るい表示が得られる方向と照明光の反射型液晶表示装置の表示部表面での界面反射の方向とが一致するため、明るい表示を得ようとすると照明装置の光出射部が映り込んで表示が見にくくなるという課題がある。
【００１７】
さらに、反射型液晶表示装置として偏光板を２枚用い、反射部をその裏面に外付けした場合は照明光が斜めに入射すると「暗表示部の影」が生じるという課題がある。ここで、「暗表示部の影」とは 暗表示部と隣接する明表示部の輝度が低下する現象で、あたかも暗表示部の影が写っているように見える現象をいう。
【００１８】
本発明の目的は、表示の劣化、タッチパネル使用時の視差、及び光源や照明装置の映り込みがなく、明るく、かつ均一な表示が得られる反射型液晶表示装置及びそれを備えた機器を提供することにある。
【００１９】
【課題を解決するための手段】
上記目的を達成するために、本発明は、所定の間隙を介して接合され少なくとも一方が透明な一対の基板と、前記一対の基板間に備えられた液晶層と、該液晶層の背面側に設けられた反射手段とを有する反射型液晶表示装置において、前記反射手段は反射面を有し、該反射面の角度は表示面内で連続的に変化しており、さらに前記反射手段は前記反射面の正反射成分の大きさが表示面下部から表示面上部に向かって連続的に小さくなるように構成されていることを特徴とする。
【００２０】
また、本発明は、所定の間隙を介して接合され少なくとも一方が透明な一対の基板と、前記一対の基板間に備えられた液晶層と、該液晶層の背面側に設けられた反射手段とを有し、かつ表示面に照明光を照射する照明装置を備えた反射型液晶表示装置において、前記照明装置は、前記表示面の前方に配置され、かつ前記表示面の垂線方向と異なる方向から前記表示面を照明する光出射部を有し、前記反射手段は反射面を有し、該反射面の角度は表示面内で連続的に変化しており、さらに前記反射手段は前記反射面の正反射成分の大きさが表示面下部から表示面上部に向かって連続的に小さくなるように構成されていることを特徴とする。
【００２１】
上記構成により、本発明の反射型液晶表示装置は、導光体等の光損失の原因となるような複雑な光学系を必要としないため、光損失の少ない効率の良い照明ができる。
【００２２】
また、反射型液晶表示装置の表示面上に導光体等の付加部材を配置しないため、付加部材による表示の劣化のない見やすい画像が得られ、視差の少ない自然なペン入力が可能になる。
【００２３】
さらに、反射型液晶表示装置の反射手段は反射面を有し、その反射面の角度は表示面内で連続的に変化しており、さらに反射手段は反射面の正反射成分の大きさが表示面下部から表示面上部に向かって連続的に小さくなるように構成されている。すなわち、反射型液晶表示装置の反射手段は、その反射角度や指向性を表示面の各位置における照明光の光入射角度や、強さに応じて最適化しており、所定の位置に配置した照明装置から出射し、表示面に斜めに入射する照明光を観察者側へ均一に反射するように構成するので、明るく面内の均一性が高い表示が得られる。  この際、反射型液晶表示装置の表面等の界面での正反射光の方向と、画像光の方向は異なるため、照明装置の像が観察されて画質が劣化することがない。
【００２４】
前記反射型液晶表示装置の反射手段としては、大別して以下の３つの反射手段を用いることができる。
【００２５】
▲１▼表示面に対して傾斜した複数の反射面と、反射面で反射した光を拡散させる光拡散手段とから構成する反射手段。
【００２６】
（２）複数の凹部、または複数の凸部、または複数の凹凸部が形成された反射面を有し、各凹部、または各凸部、または各凹凸部は、少なくとも一つの非対称軸を有する断面形状と、一つの対称軸を有する円弧部を含む平面形状とを有し、対称軸は、入射する光の主光束の方位角方向と平行となるように設定した反射手段。
【００２７】
▲３▼ホログラムからなる反射手段。
【００２８】
また、本発明の他の特徴は、前記照明装置から斜めに入射する照明光に対して、暗表示の透過率が高くなるように、前記表示面側の基板の前面に偏光板と位相差板とを配置し、前記反射手段と前記反射手段側の基板との間に偏光板を配置し、かつ前記表示面側の偏光板の吸収軸の方位角は２５５°、前記位相差板の遅相軸の方位角は１８５°、前記表示面側の基板側の液晶配向軸の方位角は１０５°、前記反射手段側の基板側の液晶配向軸の方位角は１６５°、前記反射手段側の偏光板の吸収軸の方位角は１２０°であることにある。
【００２９】
上記構成により、表示面に斜めに入射する照明光が暗表示部を通過しても、透過率が高いため、隣接する明表示部に現れる「暗表示部の影」の発生が解消され、視認性のよい画像が得られる。
【００３０】
また、本発明の他の特徴は、前記一対の基板のうち前記液晶層の背面側に位置する基板と、前記液晶層との間に、前記反射手段を備えたことにある。
【００３１】
この場合は、反射型液晶表示装置に入射した照明光が液晶層を通過し、反射手段で反射して再び液晶層を通過して反射型液晶表示装置から出射する際の往路復路での位置のずれが小さいので、照明光が斜め入射するために生じる画質の劣化が抑えられて、明るく、色純度の高い表示ができる。
【００３２】
また、本発明の他の特徴は、前記表示面側の基板の前面に偏光板が配置され、前記反射型液晶表示装置が高い反射率、高いコントラスト比が得られる光の入射方向と、前記照明装置からの照明光の入射方向とが略一致するように構成されていることにある
つまり、前記単偏光板の反射型液晶表示装置は、所定の位置に配置した照明装置からの照明光に対して、反射率や、コントラスト比が高くなる表示モードや条件とすることで、照明装置使用時には外光を利用する場合よりも高品位な画質が得られる。
【００３３】
また、本発明の他の特徴は、前記照明装置の光出射部を、前記反射型液晶表示装置の上方に配置されることにある。
【００３４】
これにより、以下の効果が得られる。つまり、反射型液晶表示装置は周囲が明るい環境下では照明装置を使用することなく外光のみでの使用が可能である。この際、外光の大部分は反射型液晶表示装置の上方から入射する。特にキーボードを有する機器では反射型液晶表示装置の下方から外光が入射することは少なく、外光の大部分は液晶表示装置の上方から入射する。
【００３５】
従って、照明装置使用時の照明装置の配置位置を液晶表示装置の上部とし、上方から入射する光に対応した反射部を構成することで照明装置不使用時に反射型液晶表示装置の上方から入射する外光が効率よく観察者側へ反射されるので明るい画像が得られるという効果がある。
【００３６】
さらに暗闇の中で作業する場合は、上部に配置した照明装置からの照明光のうち反射型液晶表示装置の表面等で反射した光がキーボードや手元を照明することになり作業性が上がるという効果もある。
【００３７】
また、本発明の他の特徴は、前記光出射部は、前記反射型液晶表示装置の横幅と同等、或いはそれ以上の横幅を有し、前記表示面の前方で、かつ上方、或いは下方に配置されることにある。
【００３８】
また、本発明の他の特徴は、前記表示面側の基板と前記液晶層との間にカラーフィルタを配置し、前記前記照明装置からの照明光の主光束の方位角方向と平行となる方向へ連続的に形成したことにある。
【００３９】
ここで、照明装置から出射した照明光は、さまざまな角度で反射型液晶表示装置に入射する。そこで、照明光の強度がもっとも強い方向の光をここでは以下、照明光の主光束（の方向）と呼ぶことにする。
【００４０】
上記の通り、反射型液晶表示装置に配置されるカラーフィルタを、照明装置からの照明光の主光束の入射方向の方位角方向と平行となる方向に連続的に形成すれば、照明光は反射型液晶表示装置に斜めに入射し、反射手段で反射する照明光の一部が往路復路の行程で異なる色のカラーフィルターを通過し、吸収されることが抑制されるので、より明るく、色純度の高い画像が得られるという効果がある。
【００４１】
また、本発明は、入射する光の反射光量を変調し画像として出力する反射型液晶表示装置と、該反射型液晶表示装置の表示面に照明光を照射する照明装置と、前記反射型液晶表示装置及び前記照明装置を制御する機器本体と、該機器本体に設けられ前記照明装置を支持する可動支持部とを備えた機器において、前記反射型液晶表示装置は、所定の間隙を介して接合され少なくとも一方が透明な一対の基板と、前記一対の基板間に備えられた液晶層と、該液晶層の背面側に設けられた反射手段とを有し、前記反射手段は反射面を有し、該反射面の角度は表示面内で連続的に変化しており、さらに前記反射手段は前記反射面の正反射成分の大きさが表示面下部から表示面上部に向かって連続的に小さくなるように構成されており、前記照明装置は、前記表示面の垂線方向と異なる方向から前記表示面を照明する光出射部を有し、かつ前記可動支持部を介して前記表示面の前方に可動可能に配置されることを特徴とする。
【００４２】
また、本発明は、入射する光の反射光量を変調し画像として出力する反射型液晶表示装置と、該反射型液晶表示装置の表示面に照明光を照射する照明装置と、前記反射型液晶表示装置及び前記照明装置を制御する機器本体とを備えた機器において、前記反射型液晶表示装置は、所定の間隙を介して接合され少なくとも一方が透明な一対の基板と、前記一対の基板間に備えられた液晶層と、該液晶層の背面側に設けられた反射手段とを有し、前記反射手段は反射面を有し、該反射面の角度は表示面内で連続的に変化しており、さらに前記反射手段は前記反射面の正反射成分の大きさが表示面下部から表示面上部に向かって連続的に小さくなるように構成されており、前記照明装置は、前記表示面の垂線方向と異なる方向から前記表示面を照明する光出射部を有し、かつ前記機器本体に着脱可能に配置されることを特徴とする。
【００４３】
上記構成により、明るい環境下では機器に備える照明装置を使用せずに外光のみで表示をみることができ、周囲の照明が暗い場合には機器に備えた照明装置を使用することで良好な視認性を確保できる。このため、周囲の環境によらずいつでも良好な視認性を確保できるとともに、必要な場合にのみ照明装置を用いることで機器全体の消費電力が低減できるという効果がある。
【００４４】
【発明の実施の形態】
以下、本発明の一実施の形態例に係わる反射型液晶表示装置及びそれを備えた機器を、図面を参照しながら説明する。
【００４５】
図１は、本発明の一実施の形態例に係わる反射型液晶表示装置、およびそれを備えた携帯情報機器の斜視図である。この機器１は、キーボード等の入力手段や、ＣＰＵ、信号処理回路等を筐体内に備える本体部３００と、本体部３００に蝶番構造により取付けられた開閉自在な蓋部５００と、蓋部５００に備えられた反射型液晶表示装置１００と、本体部３００に可動支持部４００を介して備え付けられた照明装置２００とから構成される。
【００４６】
反射型液晶表示装置１００の表面には図示しないタッチパネルを備えるようにしても良い。タッチパネルとしては抵抗膜タイプのタッチパネルを用いることができる。抵抗膜タイプのタッチパネルは、表面に透明な導電加工を施した透明な高分子フィルムからなる上部電極基板と、同様な導電加工を施した透明基板からなる下部電極基板とを導電面側を対向するようにスペーサーを介して貼りあわせた構造となっており、上部電極の上からポリアセタール等からなる入力用ペンで押すと２枚の電極基板の電極が接触してスイッチがＯＮとなる仕組みのものである。
【００４７】
このタイプのタッチパネルには、マトリクスタイプとアナログタイプとがある。マトリクスタイプは、上部電極基板及び下部電極基板に形成されたストライプ状の透明電極を互いに直交するように配置し、その交差部を独立したスイッチとして機能させるものである。このタイプでは電極パターンと反射型液晶表示装置１００の画素との関係でモアレが生じ易いので、電極のピッチや、ストライプ電極の方向等に工夫が必要である。
【００４８】
アナログタイプは、上下電極基板の表示部全面に一様な透明電極を形成し、この電極面に電位分布を形成しておき、２枚の電極が接触したときの電圧を検出してその入力位置を検出するものである。
【００４９】
照明装置２００は、反射型液晶表示装置１００の前方であり、かつその表示面からは離れた位置に光出射部を備えた照明装置であり、必要に応じて機器使用者が表示部を観察する際に邪魔にならない所定の位置から反射型液晶表示装置１００の表示面を照明するよう配置される。つまり、照明装置２００は、反射型液晶表示装置１００の表示面直上部を除く位置で、表示面垂線方向からずれた斜めの方向から表示面を照明するように構成する。
【００５０】
図２は、図１の機器１の略側面図であり、携帯可能状態から使用可能状態への形態の変化を説明するための図である。
【００５１】
機器１は、携帯可能状態（図２（ａ）参照）では薄い箱型をしており、持ち運びに便利な形態となっている。使用する場合には、まず蓋部５００を開き、蓋部５００に備えられた反射型液晶表示装置１００を観察可能とする（図２（ｂ）参照）。  周囲が明るい環境下であれば、この状態で、画像は、十分に観察できるので本機器は使用可能となる。暗い環境下であれば、機器１に備えられた照明装置２００を所定の位置に移動して、反射型液晶表示装置１００を前方から照明することになる。
【００５２】
本実施例では、照明装置２００は、本体部３００の両サイドに備えられた２本の棒状の可動支持部４００を介して本体部３００に備えつけられている。可動支持部４００と本体部３００、及び可動支持部４００と照明装置２００とはそれぞれ回転軸部４０１、及び回転軸部４０５において回転可能に接続されている。また、可動支持部４００は中空構造をした２つの棒状部４００ａと４００ｂとをスライド可能に接続して伸縮可能、つまり長さが変えられる構造としている（図２（ｃ）〜（ｅ）参照）。
【００５３】
携帯可能状態、もしくは明るい環境下で照明装置２００を必要としない場合、照明装置２００は本体部３００と一体化し、収納した状態となるため携帯性や操作性を阻害しない構成となっている（図２（ａ）、（ｂ）参照）。
【００５４】
照明装置２００を使用する場合は、まず、回転軸部４０１を中心に可動支持部４００を回転して、照明装置２００を反射型液晶表示装置の前方に移動する（図２（ｃ）参照）。さらに、可動支持部４００を長く伸ばし、回転軸部４０５を中心に照明装置２００を回転して、照明装置２００の光出射部を反射型液晶表示装置に向けることで反射型液晶装置の表示面を照明することが可能となる（図２（ｄ）、（ｅ）参照）。
【００５５】
つまり、照明装置２００は、可動支持部４００によって反射型液晶表示装置前方の所定位置に配置したり、本体部３００と一体化した収納状態とすることを必要に応じて行うことができる構造となっている。
【００５６】
照明装置２００は、光源として小型、高発光効率、低発熱といった条件を満たすものを用い、光源からの出射光を効率よく反射型液晶表示装置１００に照射する構成とする。
【００５７】
光源としては、冷陰極管や熱陰極管等の蛍光灯、あるいはＬＥＤ（Light Emitting Diodes）、ＥＬ（Electroluminescence）等の発光素子を用いることができる。
【００５８】
図３は、照明装置２００の一例の概略構成を示す一部斜視図である。また、図４は、図３の照明装置２００の一部断面図である。本実施の形態例の照明装置２００は、円筒状の冷陰極管からなる光源２１０と、光源２１０を包み込むように配置した開口部を有する反射板２２０と、光源２１０からの出射光を照射対象に導くためのガイド部２４０と、反射板２２０の開口部の前方に配置した拡散板２３０とで構成される。
【００５９】
ここで、本実施の形態例では表示部の大きさが１９２ｍｍ×７２ｍｍ（横方向長さ×縦方向長さ）の反射型液晶表示装置１００を用いる。これに対応して光源２１０は反射型液晶表示装置表示部の横幅よりも発光部長さがやや長い、発光部長さ２００ｍｍ、直径２.0ｍｍの円筒状の冷陰極管を用いた。
【００６０】
反射板２２０は、光源２１０からの出射光を効率良く照射対象方向へ反射するためのもので、円筒形、或いは楕円筒形等の一部に開口部を有する形状の反射板、或いは反射フィルムを使用することができる。具体的には、反射板２２０は、高分子フィルムの表面に銀や、アルミニウム等の金属薄膜層を蒸着法、或いはスパッタリング法により成膜し、高分子フィルムシートやアルミニウム板等の支持板にラミネートしたものを用いることができる。ここでは商品名：LU-０２-AM５０（三井化学製）の銀反射板を用いた。
【００６１】
拡散板２３０は、光源光の角度分布や、光量分布を均一化する機能を有するものである。拡散板としてはポリエチレンテレフタレート等の高分子フィルムの表面に凹凸を形成したもの、或いはフィルム内部に気泡を混入して光拡散性を持たせたもの、或いはアクリル等の透明部材中に白色顔料を分散させた乳白色部材等を使用することができる。
【００６２】
ガイド部２４０は、光源からの出射光を照射対象である反射型液晶表示装置１００の表示面にできるだけ過不足なく照明するための補助部材であり、内面が鏡面反射面、或いは拡散反射面で構成される枠状の部材である。また、ガイド部２４０は、照明装置２００からの出射光が直接観察者へ向かうことを防ぐための遮光部材としての機能も有する。
【００６３】
光源２１０への電力供給は、本体部３００に内蔵する電源から可動支持部４００内を通した配線、及びインバーターを介して行なわれる。
【００６４】
上記構成により、光源２１０から出射する光は直接、或いは反射板２２０で反射した後、拡散板２３０に入射し、角度分布や光量分布が均一化された後、カイド部２４０を介して照射対象である反射型液晶表示装置１００に向かう。この際、照明装置２００は、反射型液晶表示装置表示面１００の横幅よりも長い面光源として作用し、少なくとも液晶表示装置表示面の左右方向に関しては入射光の角度分布が対称で、均一な照明が可能となる。
【００６５】
なお、照明装置２００は、照明装置２００を支持する可動支持部４００を回転軸部４０１を中心に回転させた際、その位置により自動で点灯、消灯するようにしても差し支えない。しかし、不要な点灯による電力消費を押さえるために、スイッチを設けて照明装置２００の点灯消灯を任意に行えるようにするとよい。
【００６６】
反射型液晶表示装置（以下、液晶表示装置と略す）１００としては、ＴＦＴ（Thin Film Transistor）等のスイッチング素子を用いたアクティブマトリクス駆動による液晶表示装置や、マルチプレックス駆動の液晶表示装置を用いることができる。
【００６７】
また、表示モードとしてはＴＮ（Twisted Nematic）型やＳＴＮ（Super Twisted Nematic）型、ＥＣＢ（Electrically Controlled Birefringence）型、ＶＡ（Vertical Aligned）型、HAN（Hybrid Aligned Nematic）型 等の偏光状態を変調して表示を行うモードと、ＧＨ（Guest Host）型のように２色性色素により光の吸収制御を行う表示モード等を使用することができる。さらに、偏光状態を変調する表示モードとしては偏光板を２枚使用し、反射部を外付けするタイプと、反射部を内蔵して１枚の偏光板で表示を行う単偏光板タイプを用いることができる。
【００６８】
ここでは初めに、偏光板を２枚使用するSTNモードを使ったモノクロ液晶表示装置の場合について説明するが、本発明はこれに限定されるものではない。
【００６９】
なお、上述の構成により本発明の表示装置では照明装置からの照明光の主光束は液晶表示装置に対して、その表示面垂線方向から傾いた所定の方向、つまり斜め方向から入射するよう構成される。このため、本発明に係る液晶表示装置は照明装置から出射し、所定の斜め方向から表示面に入射する光に対し、高い反射率、及びより高いコントラスト比が得られる構成とすることが画質向上の面から必要である。
【００７０】
図５は、図１の液晶表示装置１００の概略構成を示す一部断面図である。液晶表示装置１００は、画像形成部１０１、及びその背面に配置した反射部１９０とから構成される。
【００７１】
画像形成部１０１は、絶縁性の透明基板からなる第１の透明基板１１０、及び第２の透明基板１２０と、これら２枚の基板をビーズ等のスペーサを介して張り合わせ、枠状のシール材によりシールして形成した２枚の基板の間隙に封入、封止した液晶層１３０と、第１の透明基板１１０上に積層配置された位相差板１６０及び偏光板１７０と、第２の透明基板の背面に配置した偏光板１８０とから構成される。
【００７２】
ここで、本実施の形態例の液晶表示装置１００、及びそれを備えた機器１では、照明装置２００を、液晶表示装置１００の前方であって、表示面の直上部を除いた所定の位置に配置し、表示面垂線方向からずれた方向、つまり斜め方向から表示面を照明するように構成する。
【００７３】
従って、本実施の形態例の液晶表示装置１００の反射部１９０は、液晶表示装置１００に斜めに入射する照明装置２００からの照明光８００を観察者７００の方向へ反射する機能を有するものとすることが重要である。
【００７４】
この際、照明装置２００と液晶表示装置１００とが十分に離れていれば、液晶表示装置１００の表示面を均一に照明することは比較的容易である。
【００７５】
しかし、本実施の形態例の液晶表示装置１００、およびそれを備えた機器１では、照明装置２００を本体部３００に備えるため、照明装置２００と液晶表示装置１００との間に十分な距離を確保することは難しい。このため、照明装置２００からの照明光の強さや、光入射角度が、液晶表示装置１００の表示面の位置毎に異なり、表示面を均一に照明することは困難である。
【００７６】
そこで、本実施の形態例の液晶表示装置１００の反射部１９０は、照明装置２００から出射し、所定の斜め方向から表示面に入射する光を観察者方向へ反射するような指向性を有し、この指向性を表示面の各位置における照明光の光入射角度や、強さに応じて最適化することで表示面内で均一な表示を得るようにしたものである。
【００７７】
本実施の形態例では、照明装置２００から液晶表示装置１００の表示面に斜めに入射する照明光８００を観察者７００の方向へ反射する機能を、表示面に対して傾斜した非対称な３角溝（柱）状の複数の微細構造からなる鏡面反射面１９１（以下、微小傾斜反射面１９１と称す）と、光拡散層１９２とから構成する反射部１９０で実現した。
【００７８】
微小傾斜反射面１９１の傾き角度α（以下、微小傾斜角度αと称す）は、照明光の主光束を観察者７００の方向へ反射する角度に設定する。ここでは、観察者７００が通常、液晶表示装置１００の表示を表示面垂線方向、もしくはその近傍から観察することが多いことを鑑み、表示面に斜めに入射する照明光８００を表示面垂線方向へ反射するように構成した。
【００７９】
なお、上述の通り本実施の形態例では、照明装置２００は、液晶表示装置１００の表示面の横幅よりも長い面光源として作用し、液晶表示装置表示面の左右方向に関しては照明光の入射角度の分布はほぼ対称となるので、反射部１９０には表示面の左右方向に対して格別な指向性は付与しない。つまり、微小傾斜反射面１９１を成す微細な３角溝構造は、その長手方向を表示面左右方向と平行となるよう構成して、表示部上下方向に格別な指向性を付与するようにした。
【００８０】
図６は、照明光の表示面への入射角度と、微小傾斜角度αの関係を説明するための図である。ここで、微少傾斜角度αは、表示面に対して傾斜した非対称な３角溝を成す微細な２つの反射面のうち、有効反射面となる微少傾斜反射面が表示面と平行な面と成す角度である。
【００８１】
外界（空気）の屈折率をｎ1、鏡面反射面１９１を覆う光拡散層１９２の屈折率をｎ2とし、照明光の表示面への入射角度をθ1とすると、微小傾斜角度αは概ね
α＝（sin-1（sinθ1・n1/n2））／２      ……… （数１）
とすればよい。
【００８２】
図７は、図１の携帯情報機器の側面図である。図７に示す通り、液晶表示装置１００の表示面の上部に入射する照明光８００の主光束の入射角度は約３５°なので、 表示面上部に対応する反射部１９０の鏡面反射面１９１の微小傾斜角度αは１１°とし、表示面の下部に入射する照明光の主光束の入射角度は約６３°なので表示面下部に対応する反射部１９０の鏡面反射面１９１の微小傾斜角度αは１８°とした。また、表示面上部から下部へかけて反射部１９０の鏡面反射面１９１の微小傾斜角度αを１１°から１８°へ照明光が表示面垂線方向へ反射されるように連続的に増加させた。
【００８３】
なお、角度β、すなわち微小傾斜反射面１９１のうち、無効反射面となる面が表示面と平行な面となす角度（図６参照）は、鏡面反射面１９１に至る照明光の入射角度よりも大きくなると鏡面反射面１９１に影が生じ、小さくなると観察者側へ反射されない光成分が増えて表示の明るさが減少する。
【００８４】
このため、角度βは、鏡面反射面１９１に至る照明光の主光束の角度と実質的に同じとすることが望ましく、
β＝sin-1（sinθ1・n1/n2）              ……… （数２）
とした。
【００８５】
また、微小傾斜反射面１９１を構成する微小三角溝のピッチＰは３０μｍとした（図６参照）。
【００８６】
微小傾斜反射面１９１は、以下の通り作成した。まず、機械加工により微少な傾斜部を構成する３角溝からなる微小傾斜反射面の金型を作成する。次に、この金型を用いて熱硬化性樹脂に微小傾斜反射面を転写し、その表面にアルミニウム或いは銀といった反射率の高い金属膜を蒸着して微小傾斜反射面を形成する。
【００８７】
光拡散層１９２は、鏡面反射面１９１に照明装置の像が形成され、視認されることの防止、及び規則的なパターンである微小傾斜反射面１９１での干渉による色付き防止、及び反射光の拡散性（ゲイン）の調整手段として機能するものである。
【００８８】
光拡散層１９２は、以下の通り作成した。まず、ビスフェノールＡ型エポキシ樹脂（ＥＰ８２７、エポキシ当量１８０）を重量比で５０、メチルヘキサヒドロ無水フタル酸（ＮＨ８２１０、酸当量１６２）を重量比で５０混合して透明媒体を得る。次に、この透明媒体に硬化剤として２−エチル−４メチルイミダゾールを少量加え、さらに、ポリメチルメタクリレート（ＰＭＭＡ）からなる平均粒径７μｍの透明体を平均重量比で２０混合し、これを微小傾斜反射面１９１に塗布し、さらに偏光板１８０を積層して約３０μｍの膜厚としたのち、加熱（約１００℃で2時間）して硬化した。
【００８９】
偏光板１８０と光拡散層１９２の屈折率差は小さいので、これにより偏光板１８０と反射部１９０との界面反射は減る。
【００９０】
ここで、ＥＰ８２７及びＮＨ８２１０からなる透明媒体１９４の屈折率は１.５３であり、透明媒体中に分散したＰＭＭＡからなる透明粒子１９３の屈折率は１.４９であるため、光拡散層１９２はこの屈折差により光散乱手段として機能する。
【００９１】
従って、透明媒体１９４に分散する透明粒子１９３の混合比を変えることで光散乱性が変化し、反射光の拡散性を変えることができる。すなわち、透明媒体１９４に対する透明粒子１９３の混合比を大きくすれば拡散性が上がり、微小傾斜反射面１９１での正反射方向の光量は減り、透明粒子１９３の混合比を小さくすれば微小傾斜反射面１９１での正反射方向の光量は増える。
【００９２】
ここで、本実施の形態例では、液晶表示装置１００の表示面はその位置毎に照明装置２００からの距離が異なる。つまり、照明装置２００との距離は、表示面下部では長く、表示面上部では短いため、照明装置からの照明光の強さが表示面下部から表示面上部に向かって連続的に強くなる。
【００９３】
そこで、本実施の形態例では、液晶表示装置１００の表示面上部に相当する光拡散層１９２には透明粒子１９３を重量比で２２混合し、表示面下部に向かって連続的にその混合比を減少させ、表示面下部に相当する拡散層１９２には透明粒子１９３を重量比で１８混合した。
【００９４】
上記構成の反射部１９０によれば、照明光の弱い表示面下部に比べて、照明光の強い表示面上部では光拡散層１９２の拡散性が連続的に高くなり微小傾斜反射面１９１での正反射成分も連続的に減るため観察者には均一な明るさの表示（反射光）が得られる。
【００９５】
次に、液晶表示装置１００の画像形成部１０１について説明する。
第１の透明基板１１０、及び第２の透明基板１２０は、ガラス、或いは高分子フィルム等の透明で平坦な光学的に等方な基板を用いることができる。ここでは両透明基板として厚さが0.7ｍｍのガラス基板を使用し、それぞれの表面にＩＴＯ（インジウム  ティン  オキサイド）から成るストライプ状の透明電極１１３、１２１をパターニングした。さらに、両透明基板の透明電極形成面側の表示領域に配向膜１１２、１２２としてポリイミド系配向膜LQ-1800（日立化成製）を厚みが約５００Åとなるように塗布し、ラビング法により表面処理を行った。
【００９６】
２枚の透明基板１１０、１２０は、ストライプ状にパターニングされた透明電極１１３、及び透明電極１２１が行列状となるように対向配置し、その交差部にマトリクス状の画素部を形成して単純マトリクス方式の液晶表示装置として機能するように構成した。
【００９７】
透明電極１１３及び透明電極１２１は、本体部３００、或いは蓋部５００に備えるドライバ用ＩＣに接続され、画像情報に応じた電圧を各画素部に選択的に印加できるよう構成した。
【００９８】
貼り合わせた２枚の透明基板の間隙は、透明基板間に分散配置したジビニルベンゼンからなるビーズスペーサーにより形成した。この際、間隙は5.７μｍとした。
【００９９】
２枚の透明基板間には誘電異方性が正のネマチック液晶MJ63928（メルク社製）にカイラル剤S-811（メルク社製）を少量添加した液晶組成物を封入、封止して液晶層１３０を構成した。この場合の液晶層１３０のΔｎdは0.83μｍであった。ここで、Δｎは液晶の複屈折、ｄは液晶層の厚さである。
【０１００】
液晶層１３０の液晶分子は、配向膜１１２、１２２に行う表面処理によって透明基板間で約２４０度ねじれるように構成した。また、この際のプレチルト角は約４度とした。
【０１０１】
偏光板１７０及び１８０としては、延伸させたポリビニルアルコールにヨウ素を吸収させて偏光機能を付与した膜の両面にトリアセチルセルロースの保護層を施したものを用いた。それぞれ位相差板１６０及び第２の透明基板１２０にアクリル系の接着剤によって光学的に結合するよう、すなわち各層での屈折率差が小さくなるように接着した。
【０１０２】
位相差板１６０としては、例えばポリカーボネート、ポリサルホン、ポリビニルアルコール等の一軸延伸した高分子フィルムを用いることができる。ここでは波長550nmにおけるΔｎdが0.63μｍのポリカーボネートからなる位相差板を用いた。ここでΔｎは位相差板の複屈折、ｄは位相差板の厚さである。
【０１０３】
位相差板１６０の遅相軸、偏光板１７０及び偏光板１８０の直線偏光の吸収軸、及び液晶分子の配向軸は、照明装置２００から出射し、液晶表示装置１００に斜めに入射する照明光を効率よく利用できる条件とすることが必要である。
【０１０４】
本実施の形態例では、以下に示す条件で液晶表示装置１００を構成した。
図８は、図１の液晶表示装置１００の構成条件を示す図であり、観察者から見た際の液晶表示装置各部の軸の方向を示す図である。
【０１０５】
また、図９は、本明細書における方位角φと、仰角ζの定義の説明図である。図９に示す通り、本明細書では方位角φを液晶表示装置表示面の左右方向の軸上であって、時計における３時の位置を0°とし、反時計回りに定義する。また、仰角ζは液晶表示装置表示面の垂線に対する傾き角度として定義する。
【０１０６】
図８に示す通り、液晶表示装置１００は、偏光板１７０の吸収軸の方位角は２５５°、位相差板１６０の遅相軸の方位角は１８５°、透明基板１１０側の液晶配向軸の方位角は１０５°、透明基板１２０側の液晶配向軸の方位角は１６５°、偏光板１８０の吸収軸の方位角は１２０°とした。
【０１０７】
本構成の液晶表示装置１００に入射した照明光のうち偏光板１７０を透過した直線偏光は、位相差板１６０、液晶層１３０を通過して偏光板１８０に入射する。この際、液晶層１３０を透過する光の偏光状態は液晶層１３０に印加する電圧によって変化させることができる。
【０１０８】
このため、画像情報に対応した電圧を透明電極１１３、及び透明電極１２１に印加し、液晶層１３０に電圧を印加することで、液晶層１３０を通過する光の偏光状態を変え、偏光板１８０を透過する光量を制御して光学画像を形成することができる。
【０１０９】
また、液晶表示装置１００に入射し、偏光板１８０を透過した光は、反射部１９０で反射して、再び偏光板１８０、液晶層１３０、位相差板１６０を通過して偏光板１７０に入射する。このときも液晶層１３０に印加される電圧により偏光板１７０を透過する光量は制御され光学画像が形成される。
【０１１０】
上記構成により、本液晶表示装置１００はノーマリーオープン特性が得られる。ノーマリーオープン特性とは液晶層に印加される電圧が小さい時の透過率が高く、電圧を高くすると透過率が低下する特性のことである。
【０１１１】
図１０は、上記構成による液晶表示装置１００の画像形成部１０１の光入射角度と、透過率の関係を明表示と暗表示の場合について示した図である。光入射角度は、正の角度が方位角９０°における仰角を表し、負の角度が方位角２７０°における仰角を表す。
【０１１２】
本実施の形態例では、照明装置２００からの照明光は液晶表示装置１００の上方、つまり方位角９０°方向から入射することになるので、図中、正の光入射角度が照明装置２００からの照明光の光入射角度に相当する。
【０１１３】
図示の通り、本液晶表示装置１００の画像形成部１０１は斜め方向から光が入射しても明表示の透過率は大きく低下せず、明るい表示が得られる。
【０１１４】
また、暗表示の場合は液晶表示装置１００の画像形成部１０１に垂直に入射する光に対しては低い透過率となり十分な暗表示が得られ、斜め方向から入射する光に対しては高い透過率が得られる。
【０１１５】
この特性は、本発明の機器１のように、照明装置２００からの照明光が液晶表示装置１００に斜めに入射する際に懸念される「暗表示部の影」発生の抑制に有効である。
【０１１６】
ここで、「暗表示部の影」について、図面をもとに説明する。
図１１は、「暗表示部の影」の説明図である。暗表示画素部と明表示画素部とが隣接する場合を考えると、液晶表示装置１００には照明光８００が斜めに入射するため、暗表示画素部の影が、隣接する明表示画素部の真下の反射部１９０に生じる。この影は、透明基板１２０や偏光板１８０の厚み、すなわち液晶層１３０と反射部１９０との距離が長いために生じる。反射部１９０はこれに斜めに入射する照明光を観察者７００の方向へ反射するため、明表示画素部の表示には隣接する暗表示画素部の影が写り、いわゆる「暗表示部の影」が生じて画質が著しく低下する。
【０１１７】
本実施の形態例の液晶表示装置では、図１０に示す通り、照明装置２００から出射し、液晶表示装置１００に斜めに入射する光は暗表示画素部であっても高い透過率となり、影ができにくいので「暗表示部の影」の発生が抑制されるという効果がある。
【０１１８】
上記の通り、本実施の形態例では、補助照明装置として液晶表示装置１００の前方であり、かつその表示面からは離れた位置に光出射部を備えた照明装置２００を移動可能に備え、機器使用者が表示部を観察する際に邪魔にならない位置から液晶表示装置１００の表示面を照明するように構成した。つまり、照明装置２００は、液晶表示装置１００の表示面直上部を除く位置で、表示面垂線方向からずれた斜めの方向から表示面を照明するように構成した。
【０１１９】
このため、導光体式前方照明装置のように導光体等の光損失の原因となるような複雑な光学系を必要としないため効率の良い照明ができる。また、液晶表示装置の表示面上に導光体等の付加部材を配置しないため、付加部材による表示の劣化や、タッチパネル使用時の視差といった導光体式前方照明装置特有の課題が回避できる。
【０１２０】
なお、投写式前方照明装置では照明光の強さや照明光の入射角度が表示面の位置により異なり、表示面内で均一な明るさの表示を得ることが困難である。
【０１２１】
しかし、本実施の形態例の液晶表示装置１００の反射部１９０は、その反射角度や指向性を表示面の各位置における照明光の光入射角度や、強さに応じて最適化して、所定の位置に配置した照明装置２００からの照明光を観察者側へ均一に反射するように構成したので、反射部１９０を従来の拡散反射板とする場合に比べて約２倍明るく、面内の均一性が高い表示が得られた。
【０１２２】
さらに、図７に例示するとおり、液晶表示装置１００の表面等の界面での正反射光１０００の方向と、画像光９００の方向は異なるため、照明装置２００の像が観察されて画質が劣化することがないという効果もある。
【０１２３】
さらに、液晶表示装置１００は、所定の位置に配置した照明装置から出射し、斜めに入射する照明光に対し、高い反射率となる表示モードを選択したので、より高品位な画質が得られるという効果もある。
【０１２４】
さらに、本実施の形態例の通り、照明装置２００を液晶表示装置１００の上部に配置するように構成することで、以下の効果も得られる。
【０１２５】
液晶表示装置１００は、周囲が明るい環境下では照明装置２００を使用することなく外光のみでの使用が可能である。この際、外光の大部分は液晶表示装置１００の上方から入射する。特に本実施の形態例のように、キーボードを有する機器では液晶表示装置１００の下方から外光が入射することは少なく、外光の大部分は液晶表示装置１００の上方から入射する。
【０１２６】
従って、照明装置使用時の照明装置２００の配置位置を液晶表示装置１００の上部とし、上方から入射する光に対応した指向性反射機能を有する反射部１９０を構成することで照明装置不使用時に液晶表示装置１００の上方から入射する外光が効率よく観察者側へ反射できるので、より明るい画像が得られるという効果がある。
【０１２７】
また、暗闇の中で作業する場合は、図７に例示するとおり、上部に配置した照明装置２００からの照明光のうち液晶表示装置１００の表面等で正反射した光がキーボードや手元を照明することになり、作業性が上がるといった効果もある。
【０１２８】
さらに、このような照明装置２００と液晶表示装置１００とを備える機器１は、明るい環境下では機器１に備える照明装置２００を使用せずに外光のみで表示をみることができ、周囲の照明が暗い場合には機器１に備えた照明装置２００を使用することで良好な視認性を確保できる。
【０１２９】
このため、周囲の環境によらずいつでも良好な視認性を確保できるとともに、必要な場合にのみ照明装置２００を用いることで機器全体の消費電力が低減できるという効果がある。
【０１３０】
なお、上記実施の形態例では、モノクロ表示の液晶表示装置の場合について説明したが、透明基板１１０、或いは透明基板１２０のいずれかに赤色、緑色、青色の3原色に相当するマイクロカラーフィルタを形成してカラー表示を行うようにしてもよい。
【０１３１】
例えば、透明基板１１０上に上下方向に伸びるストライプ状のカラーフィルタを形成し、オーバーコート層を介してカラーフィルタに対応する位置にITOからなる透明電極を形成する。この際、カラーフィルタの画素間に相当する位置にはブラックマトリクスを形成するようにしてもよい。
【０１３２】
ここで、上記実施の形態例のように、照明装置２００が液晶表示装置１００の上方に備えられる場合は、照明装置２００からの照明光の主光束は方位角９０°から所定の仰角をもって入射するため、図１２に示す通り、反射部の微小傾斜反射面を成す微細な３角溝構造の長手方向（以下、微小傾斜反射面の長手方向）は表示面左右方向に平行となるように構成される。これに対して、ストライプ状のカラーフィルタは、その長手方向を微小傾斜反射面の長手方向と直交する方向、すなわち表示面の上下方向に平行とすることが重要である。
【０１３３】
これは、もしストライプ状のカラーフィルタの長手方向が左右方向、或いはカラーフィルタがデルタ配置であれば、上下方向で隣接した画素間でカラーフィルタの色が異なるため方位角９０°の方向から所定の仰角をもって斜めに入射し、反射する光の一部は往路復路の行程で異なる色のカラーフィルターを通過するため吸収されて有効に光が利用できなくなるからである。
【０１３４】
つまり、カラーフィルタは照明装置２００からの照明光の主光束の方向に平行となる方向に連続的に形成することが効率の面から重要である。
【０１３５】
ところで、上記実施の形態例では、微小傾斜反射面の長手方向を表示面左右方向と平行となるよう構成した。これは、観察者７００が通常、液晶表示装置１００の表示を表示面垂線方向、もしくはその近傍から観察することが多いことを鑑み、表示面に斜めに入射する照明光を表示面垂線方向へ反射するよう構成したためである。
【０１３６】
しかし、液晶表示装置１００のサイズが大きくなると、照明光を表示面垂線方向へ反射する構成では表示面の周辺部が観察者７００に暗く見えるようになる。この場合は、図１３に例示するように、微小傾斜反射面を構成する微細な三角溝構造を直線的ではなく、曲線的にし、所定の方向から入射する照明光を観察者７００の方向へ反射、集光するような指向性を反射部に付与することで、周辺部も明るく均一な表示を実現するようにしても良い。
【０１３７】
また、本実施の形態例では、微小傾斜反射面の上に光拡散層を形成することで照明装置の像が視認されることの防止、干渉による色付き防止、及び反射光の拡散性の調整を行ったが、本発明は、これに限定されるものではなく微小傾斜反射面の上に微少な凹凸部からなる拡散部を形成することで光拡散性を付与するようにしても良いし、或いは前方散乱性のフィルムを第１の透明基板の上層に配置するようにしても良い。
【０１３８】
次に、本発明の他の実施の形態例に係わる液晶表示装置について説明する。
【０１３９】
図１４は、本発明の他の実施の形態例に係わる液晶表示装置の一部概略断面図である。本実施の形態例は、反射部１９０にホログラムを使用したこと以外は上記実施の形態例と同様の構成である。よって、上記実施の形態例と共通な部分については詳しい説明は省略し、変更部分について詳述する。
【０１４０】
上述の通り、本発明の要点の一つは、照明装置から斜めに入射する照明光を観察者方向に均一に反射する反射部１９０を有することにある。本実施の形態例はこれをホログラムで実現するものである。即ち、反射部１９０として斜め方向から入射する照明光を観察者７００の方向へ回折反射するホログラム反射板を用いる。
【０１４１】
反射部１９０は、ホログラム１１１０と反射板１１２０とから構成される。
【０１４２】
ホログラム１１１０は、照明装置から出射し、表示面の位置毎に異なる角度で入射する照明光８００に対し、観察者７００が表示面全体から均一な反射光８００を得られるようにするために、各位置で異なる角度へ回折反射が起こるように作成したホログラムを用いる。
【０１４３】
ホログラム１１１０としては高い回折効率が得られるという点では体積位相型のホログラムが望ましい。また、ホログラムの作成は２光束干渉によって記録する公知の技術を用いればよく、例えば特開平9−138396号公報、特開平9−152586号公報等に記載の方法を用いることができる。また、所望のホログラムパターンを計算機によって算出し、電子ビーム等によって描画，作製するＣＧＨ(Computer Generated Hologram）を用いてもよい。
【０１４４】
ホログラム材料としては、アクリル系のフォトポリマーを用いることが耐久性等の面から望ましい。
【０１４５】
フルカラー表示に対応する場合は、ホログラムの中心回折波長を３原色に対応させればよく、例えば光源として赤色用にはＨｅ−Ｎｅレーザー(６３３ｎｍ)、緑色用にはＡｒ＋Ｄｙｅレーザー（５７０ｎｍ）、青色用にはＡｒレーザー（４５８ｎｍ）を用いて露光，作製したホログラムを用いればよい。この際、各波長で個別に露光した複数のホログラムを積層して用いてもよいが、１枚に複数の波長で多重露光したものを用いてもよい。
【０１４６】
このように作製したホログラムは、設計角度で入射する光に対しては回折反射を起こすが、設計角度と異なる角度で入射した光に対しては回折反射を起さず略透過する。このため、ホログラム１１１０の背面には反射板１１２０を配置して、ホログラム１１１０を透過する光も利用するようにすると良い。
【０１４７】
反射板１１２０としては、ポリエステルフィルムにアルミニウム或いは銀を蒸着し、表面を多少荒らすことで拡散性を付与した反射板を用いるようにするとよい。
【０１４８】
本実施の形態例においても、上記実施の形態例と同様、液晶表示装置１００の反射部１９０は、その反射角度と指向性を表示面の各位置における照明光の光入射角度や、強さに応じて最適化し、所定の位置に配置した照明装置から出射し、表示面に斜めに入射する照明光８００を観察者側へ均一に反射するように構成されるので、明るく面内の均一性が高い表示が得られるという効果がある。
【０１４９】
この際、液晶表示装置１００の表面での正反射光１０００の方向と、画像光９００の方向は異なるため、照明装置の像が観察されて画質が劣化することがないという効果もある。
【０１５０】
図１５は、本発明の更に他の実施の形態例に係わる液晶表示装置の一部概略断面図である。本実施の形態例は、液晶表示装置１００の構成以外は上記実施の形態例と同様な構成としたため、上記実施の形態例と同様な部分については詳しい説明は省略し、液晶表示装置１００について詳述することとする。
【０１５１】
本実施の形態例の液晶表示装置１００は、反射部を内蔵した単偏光板タイプのＳＴＮ型液晶表示装置である。
【０１５２】
本液晶表示装置１００は、透明基板２０４０、及び反射部２２１１を備える反射基板２２００と、これら２枚の基板をビーズ等のスペーサを介して張り合わせ、枠状のシール材によりシールして形成した２枚の基板の間隙に封入、封止した液晶層２０８０と、透明基板２０４０上に積層配置された２枚の位相差板２０３０、位相差板２０２０、及び偏光板２０１０とから構成される。
【０１５３】
ここで、上述の通り、本実施の形態例の液晶表示装置１００及びそれを備えた機器１では、照明装置２００は液晶表示装置表示部の直上部とは異なる所定の位置に配置され、その照明光８００は液晶表示装置に斜めに入射するよう構成される。
【０１５４】
従って、液晶表示装置１００の反射部２２１１は、液晶表示装置１００に斜めに入射する照明光８００を観察者７００の方向へ反射する指向性反射機能を有するものとする。さらに、反射部２２１１での反射の指向性を表示面の各位置での照明光８００の光入射角度や、強さに応じて最適化して表示面内で均一な明るさが得られるように構成することが重要である。
【０１５５】
本実施の形態例では、照明装置から液晶表示装置１００の表示面に斜めに入射する照明光８００を観察者７００の方向へ反射する機能を、反射基板２２００に形成した表示面に対して傾斜した複数の非対称な３角溝状の微細構造からなる鏡面反射面２２１０（以下、微小傾斜反射面２２１０と称す）と、光拡散層２２２１とから構成される反射部２２１１で実現した。
【０１５６】
微小傾斜反射面２２１０の構成は、図５、及び図６を用いて説明した上記実施の形態例と基本的に同様の構成とすればよい。すなわち、微小傾斜角度αは前記実施の形態例と同様に照明光８００の主光束を観察者７００の方向へ反射する角度に設定する。ここでは観察者７００が通常、液晶表示装置１００の表示を表示面垂線方向、もしくはその近傍から観察することが多いことを鑑み、表示面に斜めに入射する照明光８００を表示面垂線方向へ反射するよう構成した。
【０１５７】
また、上述の通り、本実施の形態例では、照明装置２００は、液晶表示装置１００の表示面横幅よりも長い面光源として作用し、液晶表示装置表示面の左右方向に関しては照明光の入射角度の分布はほぼ対称となるので、反射部２２１１では表示面の左右方向には格別な指向性は付与せず、微小傾斜反射面２２１０を成す微細な３角溝状の構造はその長手方向を表示面左右方向と平行となるよう構成することで、表示面の上下方向には格別な指向性を付与するようにした。
【０１５８】
微小傾斜角度αは、概ね式（数１）から算出される値とすれば良く、表示面のどの位置であっても照明光８００が表示面垂線方向へ反射されるように表示面上部から下部にかけて微小傾斜角度の値を連続的に変化させた。また、微小傾斜反射面２２１０の角度βも式（数２）で算出される値とし、微小傾斜反射面２２１０を構成する微小な三角溝のピッチＰは３０μｍとした。
【０１５９】
微小傾斜反射面２２１０は、反射基板２２００上に以下の通り作成する。
まず、機械加工により微少な傾斜部を構成する３角溝からなる微小傾斜反射面の金型を作成する。次に、ガラス、或いは高分子フィルムといった平坦な絶縁性基板からなる反射基板２２００上に熱硬化性樹脂を成膜し、これに金型を用いて微小傾斜反射面を転写し、硬化する。次に、微小傾斜反射面が転写された熱硬化性樹脂の表面にアルミニウム 、或いは銀といった反射率の高い金属膜を蒸着して微小傾斜反射面を形成する。
【０１６０】
本実施の形態例では、反射基板２２００として厚さ０.７ｍｍのガラス基板を用い、微小傾斜反射面形状を転写して硬化した熱硬化性樹脂の表面に銀を蒸着して微小傾斜反射面２２１０を得た。
【０１６１】
微小傾斜反射面２２１０の上には、さらに光拡散層２２１０が形成される。光拡散層２２１０は、微小傾斜反射面２２１０に照明装置の像が形成され、視認されることの防止、及び微小傾斜反射面２２１０での干渉による色付き防止、及び反射光の拡散性の調整手段として機能するものである。
【０１６２】
光拡散層２２１０も、図５を用いて説明した上記実施の形態例と同様に形成すれば良い。この際、以下の理由から液晶表示装置１００の表示部上部に相当する光拡散層２２１０には透明媒体２２３０に混合する透明粒子２２２０をやや多めにし、表示部下部に向かって連続的にその混合比を減少させることで表示部下部から上部にかけて光拡散性が連続的に高くなるようにすると良い。
【０１６３】
つまり、本液晶表示装置１００を備えた機器では照明装置が液晶表示装置１００の上部に配置されるので、照明光の強さは液晶表示装置１００の表示面上部の方が下部に比べて強い。
【０１６４】
このため、光拡散層２２２１の光拡散性を表示面下部から表示面上部に向かって連続的に高くすれば微小傾斜反射面２２１０での正反射成分は表示面下部から表示面上部にむかって連続的に減り、観察者８００には均一な明るさの反射光が得られる。
【０１６５】
光拡散層２２２１は、以下の通り作成した。硬化剤を少量加えた透明媒体に、ポリスチレンからなる平均粒径４μｍの透明粒子２２２０を平均重量比で１０混合し、これを微小傾斜反射面２２１０に厚さ約９μｍの膜厚となるように塗布し、硬化した。
【０１６６】
この際、透明媒体２２３０の屈折率は１.５３であり、透明粒子２２２０の屈折率は１.５９であるため、光拡散層２２２１はこの屈折差により光散乱手段として機能する。
【０１６７】
本実施の形態例では、表示面上部に相当する光拡散層２２２１には透明粒子２２２０を重量比で１２混合し、表示部下部に向かって連続的にその混合比を減少させ、表示部下部に相当する光拡散層２２２１には透明粒子２２２０を重量比で８混合した。
【０１６８】
反射部２２１１の光拡散層２２２１の上には絶縁層２３００を形成する。この際、ＳＴＮ表示モードは液晶層の厚さの変動が表示のむらになり易いため、絶縁層２３００は、反射部２２１１の凹凸を平坦化する機能を有することが必要である。
【０１６９】
このため、絶縁層２３００としては、スピンコート法等により成膜が可能で凹凸部の平坦化が容易なアクリル系樹脂、カルド系樹脂、ベンゾシクロブテン樹脂、ポリイミド系樹脂等の有機材料を用いることが望ましい。より高い平坦性が必要な場合は有機材料膜の上にさらに酸化シリコンや、窒化シリコン等の無機絶縁膜を形成し、さらにこの表面をＣＭＰ（化学機械研磨）等の表面研磨により平坦化するようにしてもよい。
【０１７０】
平坦化された絶縁層２３００の上にはＩＴＯからなるストライプ状の透明電極２１００をパターニングする。さらに、その上には表示面に相当する部分へ全面的にポリイミド系の配向膜２０９０を塗布して、ラビング法により表面処理を行う。
【０１７１】
一方、透明基板２０４０としてはガラス、或いは高分子フィルム等の光学的に等方で平坦な透明基板を用いることができる。
【０１７２】
ここでは、透明基板２０４０として厚さが0.7ｍｍのガラス基板を使用し、その表面にマイクロカラーフィルタ２０５０を形成した。カラーフィルタ２０５０の上層には図示しないオーバーコート層を介してITOからなるストライプ状の透明電極２０７０を形成し、さらに表示面に相当する部分には全面的にポリイミド系の配向膜２０６０を塗布して、ラビング法により表面処理を行った。
【０１７３】
カラーフィルタ２０７０は、それぞれ赤色、緑色、青色の３原色に対応した透過スペクトルを有する３種類のストライプ状のカラーフィルターを交互に繰り返し配置したもので、ストライプの方向は以下の理由から表示面に対して上下方向とした。
【０１７４】
本実施の形態例のように、照明装置２００液晶表示装置１００の上方に備えられる場合には、照明装置２００からの照明光の主光束は方位角９０°から所定の仰角をもって斜めに入射するので、もし、上下方向に隣接した画素のカラーフィルタの色が異なれば液晶表示装置１００に入射し、反射する光の一部が往路復路の行程で異なる色のカラーフィルターを通過することになる。この場合、異なる色のカラーフィルタを通過する光はほとんど吸収されて有効に利用できないので暗くなってしまう。
【０１７５】
従って、カラーフィルタは、照明装置２００からの照明光の主光束の方位角と平行となる方向に連続的に形成するようにし、往路復路の行程で同じ色のカラーフィルターを通過するようにしてカラーフィルタでの光の吸収を少なくなるようにするようにした。
【０１７６】
なお、カラーフィルタの画素間に相当する位置にはブラックマトリクスを形成して画素間からの漏れ光を抑えることで、より高いコントラスト比を実現するようにしてもよい。
【０１７７】
また、照明装置２００の光源の発光スペクトルのピーク波長をカラーフィルタの透過スペクトルと一致するようにし、カラーフィルタでの光の吸収を減らすようにするとよい。
【０１７８】
透明基板２０４０と反射基板２２００は、ストライプ状にパターニングされた透明電極２０７０、及び透明電極２１００が行列状となるように対向配置し、その交差部にマトリクス状の画素部を形成して単純マトリクス方式の液晶表示装置として機能するように構成した。
【０１７９】
透明電極２０７０及び透明電極２１００は、本体部３００、或いは蓋部５００に備えるドライバ用ＩＣに接続され、画像情報に応じた電圧を各画素部に選択的に印加できるよう構成した。
【０１８０】
貼り合わせた２枚の透明基板には透明基板間に分散配置したビーズスペーサーにより間隙が形成される。２枚の透明基板の間隙には誘電異方性が正のネマチック液晶にカイラル剤を少量添加した液晶組成物を封入、封止して液晶層２０８０を構成した。この場合の液晶層２０８０のΔｎdは０.８１μｍであった。
【０１８１】
液晶層２０８０の液晶分子は、配向膜２０６０、２０９０に行った表面処理によって透明基板間で約２４０度ねじれるように構成した。
【０１８２】
偏光板２０１０としては、延伸させたポリビニルアルコールにヨウ素を吸収させて偏光機能を付与した膜の両面にトリアセチルセルロースの保護層を施したものを用いた。
【０１８３】
位相差板２０２０と位相差板２０３０としては、例えばポリカーボネート、ポリサルホン、ポリビニルアルコール等の一軸延伸した高分子フィルムを用いることができる。ここでは、位相差板２０２０としてΔｎdが０.４３μｍのポリカーボネートからなる位相差板を用い、位相差板２０３０としてΔｎｄが０.１９μｍのポリカーボネートからなる位相差板を用いた。
【０１８４】
偏光板２０１０、位相差板２０２０、位相差板２０３０及び透明基板２０４０は、それぞれアクリル系の接着剤により光学的に結合するように接着した。
【０１８５】
図１６は、図１５の液晶表示装置１００の構成条件を説明するための図であり、観察者の方向から見た際の液晶表示装置各部の軸の方向を示す図である。
【０１８６】
図１６に示す通り、本実施の形態例の液晶表示装置１００は、偏光板２０１０の吸収軸の方位角を４０°、位相差板２０２０の遅相軸の方位角を１１０°、位相差板２０３０の遅相軸の方位角を８０°、透明基板２０４０側の液晶配向軸の方位角を３３０°、反射基板２２００側の液晶配向軸の方位角を３０°とした。
【０１８７】
上記構成により、本液晶表示装置１００はノーマリークローズ特性が得られる。ノーマリークローズ特性とは液晶層に印加される電圧が小さい時に暗表示となり、電圧を高くすると明表示となる特性のことで、斜めから入射する光に対してのコントラスト比の低下がノーマリーオープンの場合よりも少ない。
【０１８８】
上記構成により、本実施の形態例においても、液晶表示装置１００の反射部２２１１はその反射角度や、指向性を表示面の各位置における照明光の光入射角度や、強さに応じて最適化して、所定位置に配置した照明装置からの照明光を観察者側へ均一に反射するように構成したので、明るく面内の均一性が高い表示が得られるという効果がある。
【０１８９】
この際、液晶表示装置１００の表面等の界面での正反射光の方向と、画像光の方向が異なるため、照明装置２００の像が観察されて画質が劣化することがないという効果もある。
【０１９０】
また、カラーフィルタを照明装置２００からの照明光の主光束の方向に平行となる方向に連続的に形成したので、液晶表示装置１００に入射し、反射する光の一部が往路復路の行程で異なる色のカラーフィルターを通過し、吸収されることが抑えられるのでより明るい画像が得られ、色純度の低下が小さいという効果がある。
【０１９１】
さらに、このような照明装置２００と液晶表示装置１００とを備える機器１は明るい環境下では機器１に備える照明装置２００を使用せずに外光のみで表示をみることができ、周囲の照明が暗い場合には機器１に備えた照明装置２００を使用することで良好な視認性を確保できる。このため、周囲の環境によらずいつでも良好な視認性を確保できるとともに、必要な場合にのみ照明装置２００を用いることで機器全体の消費電力が低減できるという効果がある。
【０１９２】
また、本実施の形態例特有の効果として、以下の効果が得られる。
本発明の液晶表示装置及びそれを備えた機器では照明装置からの照明光は液晶表示装置に斜めに入射するので、液晶表示装置に入射し、出射する光は往路復路の行程で異なる位置を通過することになる。この位置のずれは、液晶表示装置の液晶層と反射部との距離が長いと大きくなる。
【０１９３】
このため、反射部が背面側の基板のさらに背面に外付けされている場合は背面側の基板等の厚みの分だけ光の往路復路での位置のずれが大きくなり、照明光が往路復路の行程に於いて異なる画素を通過して明るさや色純度が低下したり、「暗表示部の影」といった問題を生じる。
【０１９４】
しかし、本実施の形態例では、反射部を背面側の基板と液晶層との間に内蔵したため、液晶層と反射部の距離が極めて短くなり光の往路復路での位置のずれが小さくなって照明光が斜め入射するために生じる画質の劣化が抑えられて、明るく、色純度の高い高品位な表示が得られるという効果がある。
【０１９５】
図１７は、本発明の更に他の実施の形態例に係わる液晶表示装置の一部概略断面図である。本実施の形態例は、液晶表示装置１００以外は上記実施の形態例と同様な構成としたため、上記実施の形態例と同様な部分については詳しい説明は省略し、液晶表示装置１００について詳述することとする。
【０１９６】
本実施の形態例の液晶表示装置１００は、反射部を背面側の基板と液晶層との間に内蔵した、単偏光板タイプのＴＮモードの反射型液晶表示装置である。
【０１９７】
本液晶表示装置１００は、透明基板３０３０、及び反射部を備える反射基板３１００と、これら２枚の基板をビーズ等のスペーサを介して張り合わせ、枠状のシール材によりシールして形成した２枚の基板の間隙に封入、封止した液晶層３１３０と、透明基板３０３０に積層配置した位相差板３０２０、及び偏光板３０１０とから構成される。
【０１９８】
反射基板３１００としては、ガラスや高分子フィルム等の平坦な絶縁基板をもちいればよく、ここでは厚さ０.７ｍｍのガラス基板を用いた。反射基板３１００には、走査電極と信号電極、及びこれらの交差部に備えられた例えばTFT（Thin Film Transistor）等からなるスイッチング素子３１１０と、これらの上部に形成した絶縁層３０９０と、絶縁層の上に形成され、絶縁層３０９０に開けられたスルーホール３１２０を介してスイッチング素子と電気的に接続されたマトリクス状に細分化された画素電極３０７０とが備えられる。
【０１９９】
画素電極３０７０は、アルミニウム、銀といった反射率の高い金属からなり、絶縁層３０９０上に形成された微細な凹部または凸部形状により、指向性のある反射部として機能するものである。画素電極３０７０の上層にはポリイミド系高分子からなる配向膜３０６０が全面的に形成され、その表面はラビング法等により表面処理がなされる。
【０２００】
透明基板３０３０としては、ガラス、高分子フィルムなどの光学的に等方で平坦な透明絶縁基板を用いることができ、ここでは厚さ０.７ｍｍのガラス基板を用いた。
【０２０１】
透明基板３０３０には、反射基板３１００の画素電極３０７０に対応する位置にカラーフィルタ３０４０を形成する。カラーフィルタ３０４０はそれぞれ赤色、緑色、青色の３原色に対応した透過スペクトルを有する３種類のストライプ状のカラーフィルターを交互に繰り返し配置したもので、ストライプの方向は以下の理由から表示面に対して上下方向とした。
【０２０２】
本実施の形態例のように、照明装置２００が液晶表示装置１００の上方に備えられる場合には、照明装置２００からの照明光８００の主光束は方位角９０°から斜めに入射するので、上下方向に隣接した画素のカラーフィルタの色が異なれば液晶表示装置１００に入射し、反射する光の一部が往路復路の行程で異なる色のカラーフィルターを通過することになる。この場合、異なる色のカラーフィルタを通過する光はほとんど吸収されて有効に利用できない。
【０２０３】
従って、カラーフィルタは、照明装置２００からの照明光８００の主光束の方位角と平行となる方向に連続的に形成し、往路復路の行程で同じ色のカラーフィルターを通過するようにしてカラーフィルタでの光の吸収損失を少なくなるようにした。
【０２０４】
なお、カラーフィルタの画素間に相当する位置にはブラックマトリクスを形成して画素間からの漏れ光を抑えることで、より高いコントラスト比を実現するようにしてもよい。
【０２０５】
さらに、照明装置２００の光源の発光スペクトルのピーク波長をカラーフィルタの透過スペクトルと一致するようにし、カラーフィルタでの光の吸収を減らすようにすると良い。
【０２０６】
カラーフィルタ３０４０の上層には、図示しないオーバーコート層を介してITOからなる透明電極３０５０を全面的に形成し、さらに透明電極３０５０の上層にポリイミド系高分子からなる配向膜３２１０を全面的に形成して、その表面をラビング法等により表面処理を行う。
【０２０７】
透明基板３０３０と反射基板３１００は、透明電極３０５０形成面及び反射電極３０７０形成面が対向するよう貼り合せる。この際、両基板間にビーズスペーサを分散配置し、両基板の表示面相当部分の周囲を枠状のシール材によりシールすることで一定の間隙を有する空間が形成される。
【０２０８】
両基板の間隙には、誘電異方性が正のネマチック液晶にカイラル剤を少量（０.１〜０.２％）添加した液晶組成物を封入、封止して液晶層３１３０を構成した。液晶層３１３０のΔｎdは0.365μｍとした。
【０２０９】
液晶層３１３０の液晶分子長軸の方向は、透明基板３０３０、及び反射基板３１００上に形成された配向膜３２１０、及び配向膜３０６０に行なわれた表面処理（配向処理）によって配向方向が規定され、２枚の基板間で連続的に所定の角度だけねじれた状態となる。
【０２１０】
透明基板３０３０には、位相差板３０２０と偏光板３０１０とが積層される。
【０２１１】
位相差板３０２０としては、例えばポリカーボネート、ポリサルホン、ポリビニルアルコール等の一軸延伸した高分子フィルムを用いることができる。ここでは位相差板３０２０としてΔｎdが0.18μｍのポリカーボネートからなる位相差板を用いた。
【０２１２】
偏光板３０１０としては、延伸させたポリビニルアルコールにヨウ素を吸収させて偏光機能を付与した膜の両面にトリアセチルセルロースの保護層を施したものを用いた。
【０２１３】
偏光板３０１０、位相差板３０２０、及び透明基板３０３０は、それぞれアクリル系の接着剤により光学的に結合するように接着した。
【０２１４】
上記構成により、液晶表示装置１００に入射した光のうち偏光板３０１０を透過した直線偏光は、位相差板３０２０、液晶層３１３０を通過し、画素電極３０７０で反射して、再び液晶層３１３０、位相差板３０２０を通過して偏光板３０１０に入射する。この際、液晶層３１３０を透過する光の偏光状態は液晶層３１３０に印加する電圧によって変化する。
【０２１５】
ここで、スイッチング素子３１１０は画素電極３０７０にスルーホール３１２０を介して接続されており、画素電極３０７０に印加する電圧をスイッチングすることで、透明電極３０５０と画素電極３０７０とに挟まれた液晶層３１３０に印加する電圧を画素毎に制御することができる。
【０２１６】
従って、画像情報に対応した電圧を透明電極３０５０と画素電極３０７０とに印加し、液晶層３１３０に所定の電圧を印加することで、液晶層３１３０を通過する光の偏光状態を制御し、偏光板３０１０を透過する光量を制御して光学画像を形成することができる。
【０２１７】
ところで、本実施の形態例の液晶表示装置１００及びこれを備えた機器１では照明装置２００からの照明光８００は液晶表示装置１００に斜めに入射するよう構成される。従って、液晶表示装置１００の反射部は、液晶表示装置１００に斜めに入射する照明光８００を観察者７００の方向へ反射する機能（指向性反射機能）を有するものとする。この際、反射部での反射の指向性を表示面の各位置での照明光の光入射角度や、強さに応じて最適化して表示面内で均一な明るさが得られるように構成することが重要である。
【０２１８】
本実施の形態例では、反射率の高い金属膜で構成される画素電極３０７０に非対称な傾斜角度分布を有する複数の凸部を形成することで指向性反射機能を有する反射部を実現した。
【０２１９】
画素電極３０７０の複数の微小な凸部は、以下の通り作成する。
【０２２０】
まず、反射基板３１００上にスイッチング素子３１１０、走査電極、信号電極等を形成し、その上に絶縁層３０９０を形成する。絶縁層としてはアクリル系樹脂、カルド系樹脂、ベンゾシクロブテン樹脂、ポリイミド系樹脂等の有機材料や、酸化シリコン、窒化シリコン等の無機材料を用いることができる。
【０２２１】
この際、スピンコート法等による成膜技術でスイッチング素子等の凹凸形状を容易に平坦化できることから絶縁層としては有機材料を用いることが望ましい。より高い平坦性が必要な場合は、有機材料膜の上にさらに酸化シリコン等の無機絶縁層を形成し、さらにこの表面をＣＭＰ（化学機械研磨）等の表面研磨により平坦化してもよい。
【０２２２】
本実施の形態例では、絶縁層としてアクリル系樹脂を塗布し、その膜厚を２μｍとした。また、絶縁層３０９０には２０μｍ□のコンタクトホール３１２０を形成した。
【０２２３】
図１８は、微細な凸部を備えた反射機能を有する画素電極の製造工程を説明するための一部断面図である。
【０２２４】
図１８（a）に示す通り、絶縁層を形成し、平坦化した反射基板３２００の上に凸部形成材料となる有機系のメルトフローフォトレジスト３０８０をスピンコート法により０．８μｍの厚さに塗布する。
【０２２５】
これを８０℃で３０分プリベークした後、図１９に例示するようなランダム配置した半円形の開口部を有するフォトマスク３０００を、図１８（ｂ）に示す通り、反射基板３２００の上に平行に配置して、露光する。
【０２２６】
次に、これを現像剤によって現像すると、フォトマスクにより遮光された部分は除去されて、複数の微細な半円柱状のレジストからなる凸部３０８０が形成される（図１８（ｃ）参照）。
【０２２７】
次に、反射基板３２００を半円柱状の凸部の円弧部分が上方となるように傾斜して、２３０℃で５０分間、加熱処理する。すると、半円柱状だった凸部３０８０は角がとれて、滑らかなり、傾斜角度の分布に偏りがある非対称な凸形状となる（図１８（ｄ）参照）。
【０２２８】
次に、自然冷却などにより凸部３０８０を硬化させた後、図１８（ｅ）に示す通りアルミニウム、銀等の反射率の高い材料からなる金属薄膜３０７０を真空蒸着等により形成する。
【０２２９】
さらに、この金属薄膜３０７０を露光、現像といった工程により島状とすることで、独立した画素電極３０７０とする。
【０２３０】
図２０は、以上の工程で得られた画素電極３０７０の凸部の形状を例示した図である。図２０（ａ）は、凸部を形成するレジストを露光する際に使用するフォトマスク３０００の開口部形状を示す図であり、図２０（ｂ）、（ｃ）はそれぞれ、このフォトマスクを用いて形成した凸部の平面図と断面図である。
【０２３１】
図２０に示す通り、現像工程により得られるレジストの平面形状を半円形のような対称軸を有する形状とし、対称軸３０８０Ａに平行な方向に重力がかかるように、すなわち、半円形の円弧部を上にした状態で加熱処理することで、加熱処理後に円弧部と直線部とで傾斜角度分布が異なる非対称な断面形状が得られる。
【０２３２】
図２１も、上記工程で得られた画素電極３０７０の凸部の形状を例示した図であり、図２０に例示した凸部とはフォトマスク３０００の開口部形状が異なる。具体的には開口部の直線部の長さＬ２は等しいままで、円弧部の長さＬ１を図２０に例示した場合に比べて小さくした場合を例示する。
【０２３３】
図２１（ａ）は、凸部を形成するレジストを露光する際に使用するフォトマスク３０００の開口部形状を示す図であり、図２１（ｂ）、（ｃ）はそれぞれ、このフォトマスクを用いて形成した凸部の平面図と断面図である。
【０２３４】
この場合も、現像工程により得られるレジストの断面形状を円弧部と直線部とで囲まれた非対称軸を有する形状とし、その対称軸３０８０Ａに平行な方向に重力がかかるように、すなわち、半円形の円弧部を上にした状態で加熱処理することで、加熱処理後に円弧部と直線部とで傾斜角度分布が異なる断面形状が非対称な形状が得られる。
【０２３５】
この際、図２０に例示した凸部とは、円弧部、直線部ともに傾斜角度の分布が異なり、傾斜角度は大きくなる。つまり、フォトマスクの開口部形状を変えて加熱処理する前の凸部の形状を変えることで、同じ条件で製造（加熱処理）しても円弧部の傾斜角度を同一面内で任意に変えることができる。
【０２３６】
なお、これら凸部の形状は、液晶表示装置１００に斜めに入射する照明光８００を観察者７００の方向へ反射する形状とする必要がある。ここでは観察者７００が通常、液晶表示装置１００の表示を表示面垂線方向、もしくはその近傍から観察することが多いことを鑑み、表示面に斜めに入射する照明光８００を表示面垂線方向へ反射するよう構成した。
【０２３７】
また、上述の通り、本実施の形態例では照明装置２００が液晶表示装置１００の表示部横幅よりも長い面光源として作用し、液晶表示装置表示部の左右方向に関しては照明光の入射角度の分布はほぼ対称となる。
【０２３８】
従って、画素電極３０７０の凸部の対称軸が表示面上下方向と平行となるよう構成して表示面の左右方向には格別な指向性を付与しないようにした。つまり、凸部を成す半円形の対称軸を液晶表示装置の表示面上下方向と平行となるようにし、その円弧部が表示面上部を向くようにした。
【０２３９】
なお、本実施の形態例では加熱処理時の重力の方向を工夫することで、自重により円弧部の傾斜面面積を、直線部に比べて広くなるようにした。これは、照明装置からの照明光に対して有効な指向性反射面となる円弧部の傾斜面を、直線部に比べて広くして、明るさを向上する為である。
【０２４０】
図２２は、画素電極３０７０の凸部形状を説明するための断面図である。この断面図は、画素電極３０７０の凸部の平面図における対称軸の位置での断面図である。
【０２４１】
ここで、照明光の表示面への入射角度をθ1、外界（空気）の屈折率をｎ1、液晶層３１３０と配向膜３０６０の屈折率差が小さくほぼ等しいとしてその屈折率をｎ2とし、円弧部の傾斜角度γの平均値をγｍとした場合、γｍは概ね
γｍ＝（sin-1（sinθ1・n1/n2））／２      ………（数３）
となるように構成すればよい。
【０２４２】
本実施の形態例の機器では、図７に示す通り、液晶表示装置１００表示面の上部に入射する照明光８００の主光束の入射角度は約３５°であり、表示面の下部に入射する照明光の主光束の入射角度は約６３°となる。そこで、画素電極の凸部を形成する際に、露光工程で使用するフォトマスクの開口部の形状を表示面上部に相当する領域と、表示面下部に相当する領域とで連続的に変化させ、現像工程後、すなわち加熱処理前のレジストからなる複数の凸部の形状が表示面内で連続的に変化するようにして最終的に得られる画素電極の平均傾斜角度γｍも表示面内で連続的に変化するようにした。
【０２４３】
つまり、表示部上部に対応する画素電極の凸部の平均傾斜角度γｍは１１°とし、表示面の下部の平均傾斜角度γｍは１８°として、表示面上部から下部へかけての画素電極の凸部の平均傾斜角度γｍを１１°から１８°へ連続的に増加させることで表示面のどの位置であっても照明光が表示面垂線方向へより多く反射されるように構成した。
【０２４４】
なお、画素電極の凸部の高さは２μｍ以上とすると、これに入射する光の偏光状態の変化が大きくなり、表示のコントラスト比が下がることが実験から明らかとなった。そこで、画素電極の凸部の高さは２μｍより低くすることが望ましく、ここでは画素電極の凸部の高さを約１μｍとし、直線部長さＬ２は１０μｍ、円弧部の長さＬ１を表示面内で４〜１０μｍと変化させた。
【０２４５】
ところで、反射型液晶表示装置は照明装置から出射し、所定の斜め方向から表示面に入射する光に対し、高い反射率、及びより高いコントラスト比が得られる構成とすることが画質向上の面から重要である。
【０２４６】
そこで、本実施の形態例では液晶表示装置を以下の条件で作成した。
液晶層３１３０は、上述の通り、誘電異方性が正のネマチック液晶にカイラル剤を0.1〜0.2％添加した液晶組成物で構成した。液晶層３１３０の厚さｄは５μｍとし、Δｎdを0．365μｍとした。液晶層３１３０の液晶分子長軸は配向膜３２１０、及び３０６０に行った表面処理によって２枚の基板間で連続的に５０°ねじれるように構成した。
【０２４７】
位相差板３０２０としては、Δｎdが０.１８μｍのポリカーボネートからなる位相差板を用いた。
【０２４８】
図２３は、図１７の液晶表示装置１００の構成条件を説明するための図であり、観察者の方向から見た際の液晶表示装置各部の軸の方向を示す図である。
【０２４９】
図２３に示す通り、本実施の形態例の液晶表示装置１００は、偏光板３０１０の吸収軸の方位角を１２０°、位相差板３０２０の遅相軸の方位角を１３５°、透明基板３０３０側の液晶配向軸の方位角を６５°、反射基板３１００側の液晶配向軸の方位角を２９５°とした。
【０２５０】
上記構成により、本液晶表示装置１００は、ノーマリーオープン特性が得られる。
【０２５１】
図２４に、従来の指向性のない拡散反射部を備えた場合の、図２３に示す構成条件で作成した液晶表示装置の特性を示す。図２４は、液晶表示装置に異なる方位角から仰角４５°で光を入射した際に、仰角０°方向、すなわち表示面垂線方向で得られる反射率と液晶層への印加電圧の関係を示した図である。
【０２５２】
図２４から明らかな通り、本液晶表示装置の条件では照明装置からの照明光、すなわち方位角９０°から斜めに入射する光に対して、最も高い反射率、及び最も高いコントラスト比が得られる。具体的にはコントラスト比は全方位から光が入射する場合に比べて２倍となり、反射率も１割弱向上する。
【０２５３】
本発明の液晶表示装置では、さらに反射部に指向性を付与することで、照明装置からの照明光に対しては観察者の方向により高い反射率が得られるので、従来の指向性のない拡散反射部を備える場合に比べて輝度が約３倍と飛躍的に明るい画像が得られる。
【０２５４】
すなわち、本発明の液晶表示装置では所定の位置に配置した照明装置からの照明光に対して、反射率や、コントラスト比が高くなる表示モード、及び条件を選択するようにしたので、照明装置使用時に外光を利用する場合よりも高品位な画質が得られるという効果がある。
【０２５５】
また、上記構成により、本実施の形態例においても、液晶表示装置の反射部は、その反射の指向性を表示面の各位置における照明光の光入射角度や、強さに応じて最適化して、所定位置に配置した照明装置からの照明光を観察者側へ均一に反射するように構成したので、明るく面内の均一性が高い表示が得られるという効果がある。
【０２５６】
この際、液晶表示装置の表面等の界面での正反射光の方向と、画像光の方向は異なるため、照明装置の像が観察されて画質が劣化することがないという効果もある。
【０２５７】
また、カラーフィルタを照明装置からの照明光の主光束の方位角に平行となる方向に連続的に形成したので、液晶表示装置に入射し、反射する光の一部が往路復路の行程で異なる色のカラーフィルターを通過して、吸収されることが抑えられるのでより明るい画像が得られるという効果がある。
【０２５８】
さらに、このような照明装置を設けた反射型液晶表示装置を備える機器は、明るい環境下では機器に備える照明装置を使用せずに外光のみで表示をみることができ、周囲の照明が暗い場合には機器に備えた照明装置を使用することで良好な視認性を確保できる。このため、周囲の環境によらずいつでも良好な視認性を確保できるとともに、必要な場合にのみ照明装置を用いることで機器全体の消費電力が低減できるという効果がある。
【０２５９】
また、本実施の形態例では、反射部を背面側の基板と液晶層との間に内蔵したため光の往路復路での位置のずれが小さくなり照明光が斜め入射するために生じる画質の劣化が抑えられて、明るく、色純度の高い表示ができるという効果がある。
【０２６０】
なお、本実施の形態例ではメルトフローレジストをパーターニングし、加熱処理することで指向性反射機能を実現する凹凸部を形成した。すなわち、フォトマスクの開口部形状と、加熱処理時の重力の方向を工夫して所望の形状の凸部を得た。しかし、本発明は、これに限定されるものではなく加熱処理時に重力を用いる変わりに、反射基板を回転させるなどして遠心力を加え、所望の凹凸部を形成するようにしても良いし、送風により所望の凹凸部を形成するようにしてもよい。或いは、スイッチング素子等を形成し、絶縁膜を塗布して表面を平坦化した反射基板に熱硬化樹脂を成膜し、前もって凹凸のパターンを形成した金型により凹凸形状を転写して、指向性反射機能を有する凹凸部を形成するようにしてもよい。
【０２６１】
上記実施の形態例では、照明装置の光源として冷陰極管を用いる場合を示したが、この他に小型、高発光効率、低発熱といった条件を満たす光源としてＬＥＤ（Light Emitting Diodes）を用いても良い。
図２５は、照明装置２００の他の例の一部断面図である。また、図２６は、図２５の照明装置の概略構成を示す一部斜視図である。
【０２６２】
本照明装置２００は、発光部であるＬＥＤチップ４０１０と、これを覆う透明な樹脂からなるレンズ部４０２０とから構成される複数の整列配置されたＬＥＤランプ４０００と、ＬＥＤランプ４０００からの出射光を照射対象に導くためのガイド部４０４０と、ＬＥＤランプ４０００の前方に配置した拡散板４０３０とから構成される。
【０２６３】
ＬＥＤランプ４０００としては、青色発光ＬＥＤと蛍光体とを組み合わせて白色発光を実現したＬＥＤランプを用いることができる。例えば、商品名：ＮＳＰＷ３１０ＡＳ（日亜化学工業製）を複数個、液晶表示装置表示面の横幅と同等、或いは長くなるように一列に整列配置して用いるとよい。
【０２６４】
拡散板４０３０は、複数のＬＥＤランプ４０００から出射する光の角度分布や、光量分布を均一化する機能を有するもので、ポリエチレンテレフタレート等の高分子フィルムの表面に凹凸を形成したもの、或いはフィルム内部に気泡を混入して拡散性を持たせたもの、或いはアクリル等の透明部材中に白色顔料を分散させた乳白色部材等を使用することができる。
【０２６５】
ガイド部４０４０は、ＬＥＤランプ４０００からの出射光を照射対象である液晶表示装置表示面にできるだけ過不足なく照明するための補助部材であり、内面が鏡面反射面、或いは拡散反射面で構成される枠状の部材である。また、ガイド部４０４０は照明装置２００からの出射光が直接観察者へ向かうことを防ぐための遮光部材としての機能も有する。
【０２６６】
ＬＥＤランプ４０００への電力供給は、機器本体部３００に内蔵する電源から配線を介して供給される。
【０２６７】
上記構成により、複数のＬＥＤランプ４０００から出射した光は拡散板２３０に入射し、角度分布や光量分布が均一化された後、カイド部４０４０を介して照射対象である液晶表示装置１００に向かう。この際、照明装置２００は、液晶表示装置表示面の横幅と同等、或いは表示面横幅よりも長い面光源として作用し、少なくとも液晶表示装置表示面の左右方向に関しては入射角度の分布が対称で均一な照明が可能となる。
【０２６８】
本照明装置では光源としてＬＥＤを用いることで、冷陰極管では必要となるインバーターが不要となり、機器本体の小型化に有利である。また、ＬＥＤは冷陰極管のように水銀を含有していないので環境にやさしいという特長もある。
【０２６９】
次に、本発明の他の実施の形態例に係わる反射型液晶表示装置、及びこれを備えた機器を、図面を参照しながら説明する。
【０２７０】
なお、前述した図１の実施の形態例と共通となる部分については詳しい説明は省略し、本実施の形態例の特有部分について詳述する。
【０２７１】
図２７は、本発明の他の実施の形態例に係わる反射型液晶表示装置、およびそれを備えた情報機器の斜視図である。この機器２は、キーボード等の入力手段や、ＣＰＵ及び信号処理回路等を筐体内に備えた本体部４００１と、本体部４００１を覆うことができ、蝶番構造を介して本体部４００１に取付けられた開閉自在な蓋部４００２と、蓋部４００２に備えられた反射型液晶表示装置（以下、液晶表示装置と略す）４００３と、蓋部４００２に可動支持部４００５を介して備え付けられた照明装置４００４とから構成される。
【０２７２】
照明装置４００４は、液晶表示装置４００３の前方であり、かつその表示面からは離れた位置に光出射部を備えた照明装置であり、機器使用者が表示部を観察する際に邪魔にならない所定の位置から液晶パネル４００３の表示面を照明するよう移動可能に配置される。
【０２７３】
つまり、照明装置４００４は、液晶表示装置４００３の表示面を表示面垂線方向からずれた斜めの方向から照明するように構成する。
【０２７４】
照明装置４００４は、前述した照明装置２００と同様の照明装置を用いればよい。つまり、光源として小型、高発光効率、低発熱といった条件を満たすものを用い、光源からの出射光を効率よく液晶表示装置４００３に照射する構成とする。
【０２７５】
光源としては、冷陰極管や熱陰極管等の蛍光灯、或いはＬＥＤ（Light Emitting Diodes）、ＥＬ（Electroluminescence）等の発光素子を用いることができる。この際、照明装置４００４は、液晶表示装置４００３表示部の横幅よりも長い幅を有する面光源となるように構成し、少なくとも液晶表示装置表示部の左右方向に関しては光入射角度が対称で、均一な照明が可能となる照明装置を用いる。
【０２７６】
液晶表示装置４００３も、前述した反射型液晶表示装置１００と同様の構造の反射型液晶表示装置を使用し、その表面側に図示しないタッチパネルを備えて、ペン入力が可能となるようにしても良い。
【０２７７】
液晶表示装置４００３は、照明装置４００４から出射し、所定の斜め方向から表示面に入射する光に対し、高い反射率、及びより高いコントラスト比が得られる表示モード及び構成を選択する。
【０２７８】
さらに、液晶表示装置４００３の反射部は照明装置４００４から出射し、斜め方向から表示面に入射する光を観察者の方向へ反射するような指向性を有し、この指向性を表示面の各位置における照明光の光入射角度や、強さに応じて最適化することで表示面内で均一な表示を得るようにしたものを使用する。
【０２７９】
図２８は、機器２の概略を示す側面図であり、携帯可能状態から使用可能状態への形態の変化を説明するための図である。図示の通り、機器２は携帯可能状態（図２８（ａ）参照）では薄い箱型をしており、持ち運びに便利な形態となっている。
【０２８０】
使用する場合には、まず蓋部４００２を開き、画像表示部である反射型液晶表示装置を観察可能とする（図２８（ｂ）参照）。周囲が明るい環境下であればこの状態で画像は十分に観察できるので本機器は使用可能である。暗い環境下であれば機器２の蓋部４００２に備えられた照明装置４００４を所定の位置に移動して、液晶表示装置４００３を前方から照明することになる。
【０２８１】
本実施の形態例では、照明装置４００４は、蓋部４００２の両サイドに備えられた2本の棒状の可動支持部４００５を介して機器に備えつけられている。可動支持部４００５と蓋部４００２、及び可動支持部４００５と照明装置４００４とはそれぞれ回転軸部４００６、及び回転軸部４００７において回転可能に接続されている。また、可動支持部４００５は、回転軸部４００６を軸として蓋部４００２に対してスライド可能な構造となっている。
【０２８２】
携帯可能状態、もしくは明るい環境下で照明装置４００２を必要としない場合、照明装置４００４は本体部４００１、或いは蓋部４００２と一体化し、収納された状態であるため携帯性や操作性を阻害しない構成となっている（図２８（ａ）、（ｂ）参照）。
【０２８３】
照明装置４００４を使用する場合は、まず、回転軸部４００６を中心に可動支持部４００５をスライドさせ、さらに回転して、照明装置４００４を液晶表示装置前方に移動する。さらに、回転軸部４００７を中心に照明装置４００４を回転して、照明装置４００４の光出射部を液晶表示装置４００３に向ければ反射型液晶表示装置を照明することが可能となる（図２（ｃ）参照）。この際、照明装置４００４は、可動支持部４００５、及び回転軸部４００６、回転軸部４００７に備えられる位置決め機構により液晶表示装置４００３に対して所定の位置に固定される。
【０２８４】
上記構成により、照明装置４００４は、液晶表示装置前方の所定位置に配置したり、本体部４００１、或いは蓋部４００２と一体化した収納状態とすることを必要に応じて行うことができる構造となっている。
【０２８５】
本実施の形態例においても、前述した実施の形態例と同様、照明装置４００４として液晶表示装置４００３の前方であり、かつその表示面からは離れた位置に光出射部を備えた照明装置４００４を移動可能に備え、機器使用者が表示部を観察する際に邪魔にならない位置から液晶表示装置４００３の表示面を照明するように構成した。つまり、照明装置４００４は、液晶表示装置４００３の表示面直上部を除く位置で、表示面垂線方向からずれた斜めの方向から表示面を照明するように構成した。
【０２８６】
このため、導光体式前方照明装置のように導光体等の光損失の原因となるような複雑な光学系を必要としないため損失の少ない効率の良い照明ができる。また、液晶表示装置の表示面上に導光体等の付加部材を配置しないため、付加部材による表示の劣化や、タッチパネル使用時の視差といった導光体式前方照明装置特有の課題が回避できる。
【０２８７】
また、投写式前方照明装置では照明光の強さや照明光の入射角度が表示面の位置により異なり、表示面内で均一な明るさの表示を得ることが困難である。
【０２８８】
しかし、本実施の形態例に係る液晶表示装置４００３の反射部は、その反射の指向性を表示面の各位置における照明光の光入射角度や、強さに応じて最適化することで、所定の位置に配置した照明装置４００４から出射し、表示面に斜めに入射する照明光を観察者側へ均一に反射するように構成したので、明るく面内の均一性が高い表示が得られるという効果がある。
【０２８９】
この際、図２８（ｃ）に例示する通り、液晶表示装置４００３の表面等の界面での正反射光１０００の方向と、画像光９００の方向が異なるため、照明装置４００４の正反射像が観察されて画質が劣化することがない。
【０２９０】
さらに、液晶表示装置４００３は、所定の位置に配置した照明装置４００４からの照明光に対して、反射率や、コントラスト比が高くなる表示モードや条件を選択することで、照明装置使用時には外光を利用する場合よりも高品位な画質が得られるという効果もある。
【０２９１】
また、照明装置４００４を、液晶表示装置４００３の上部に配置するように構成することで、以下の効果も得られる。
【０２９２】
液晶表示装置４００３は、周囲が明るい環境下では照明装置４００４を使用することなく外光のみでの使用が可能である。この際、外光の大部分は液晶表示装置４００３の上方から入射する。特に、本実施の形態例のように、キーボードを有する機器では液晶表示装置４００３の下方から外光が入射することは少なく、外光の大部分は液晶表示装置４００３の上方から入射する。
【０２９３】
従って、照明装置使用時の照明装置４００４の配置位置を液晶表示装置４００３の上部とし、上方から入射する光を観察者側へ反射する指向性の反射部を構成する。これにより、液晶表示装置４００３の上方から入射する外光を効率よく観察者側へ反射できるので、照明装置不使用時にも明るい画像が得られるという効果がある。
【０２９４】
また、暗闇の中で作業する場合は、本実施の形態例の通り、上部に配置した照明装置４００４からの照明光のうち液晶表示装置４００３の表面等で正反射した光がキーボードや手元を照明することになり、作業性が上がるといった効果もある。
【０２９５】
さらに、このような照明装置を設けた反射型液晶表示装置を備える機器は、明るい環境下では機器に備える照明装置を使用せずに外光のみで表示をみることができ、周囲の照明が暗い場合には機器に備えた照明装置を使用することで良好な視認性を確保できる。このため、周囲の環境によらず、いつでも良好な視認性を確保できるとともに、必要な場合にのみ照明装置を用いることで機器全体の消費電力が低減できるという効果がある。
【０２９６】
本実施の形態例では、特に、照明装置４００４を可動支持部４００５を介して液晶表示装置４００３を備える蓋部４００２に設け、照明装置４００４使用時の照明装置４００４の位置を固定するようにした。
【０２９７】
このため、機器使用者が液晶表示装置４００３の角度を変えたるために蓋部４００２の角度を変えても、液晶表示装置４００３と照明装置４００４との相対的な位置関係は変わらないので、良好な画質を得るための照明装置４００４の位置の調整が容易になり、使い勝手が向上するという効果がある。
【０２９８】
次に、本発明の更に他の実施の形態例に係わる反射型液晶表示装置、及びこれを備えた機器を、図面を参照しながら説明する。
【０２９９】
なお、前述した実施の形態例と共通となる部分については詳しい説明は省略し、本実施の形態例の特有部分について詳述する。
【０３００】
図２９は、本発明の更に他の実施の形態例に係わる反射型液晶表示装置、およびそれを備えた情報機器の斜視図である。この機器３は、ＣＰＵ、信号処理回路等を筐体内部に実装した本体部５００２と、本体部５００２に蝶番構造を介して取り付けられた本体部５００２を覆うことができる開閉可能な蓋部５００３と、本体部５００２に備え付けられた反射型液晶表示装置（以下、液晶表示装置と略す）５００１と、蓋部５００３に備え付けられた照明装置５００４とから構成される。
【０３０１】
液晶表示装置５００１の表面には図示しないタッチパネルを備え、液晶表示装置５００１に表示されるボタン等の画像の位置を専用の入力用ペン等により押さえることで処理内容等の入力ができる構成とする。
【０３０２】
照明装置５００４は蓋部５００３に備えられ、液晶表示装置５００１の前方であり、かつその表示面からは離れた位置に光出射部を備え、機器使用者が表示部を観察する際に邪魔にならない位置から反射型液晶表示装置５００１の表示面を照明するよう配置される。
【０３０３】
照明装置５００４の光源としては前述と同様の光源、つまり小型、高発光効率、低発熱といった条件を満たすものを用いればよく、冷陰極管や熱陰極管等の蛍光灯、或いはＬＥＤ（Light Emitting Diodes）、ＥＬ（Electroluminescence）等の発光素子を用いることができる。
【０３０４】
また、照明装置５００４としては、液晶表示装置５００１の表示部の横幅よりも長い幅の光出射部を有する面光源を構成し、少なくとも液晶表示装置表示部の左右方向に関しては略均一な照明が可能となる照明装置を用いる。
【０３０５】
液晶表示装置５００１としては、前述した液晶表示装置と同様の構成の反射型液晶表示装置を使用すれば良い。すなわち、液晶表示装置５００１は照明装置５００４から出射し、所定の斜め方向から表示面に入射する光に対し、高い反射率、及びより高いコントラスト比が得られる構成とする。
【０３０６】
さらに、液晶表示装置５００１の反射部は、照明装置５００４から出射し斜め方向から表示面に入射する光を観察者の方向へ反射するような指向性を有し、この指向性を表示面の各位置における照明光の光入射角度や、強さに応じて最適化することで表示面内で均一な表示を得るようにしたものを使用する。
【０３０７】
本実施の形態例においても、上記実施の形態例と同様、液晶表示装置５００１の表示面上に導光体等の付加部材を配置しないため、付加部材による表示の劣化のない見やすい画像が得られ、視差の小さい自然なペン入力が実現できる。
【０３０８】
また、液晶表示装置５００１の反射部は、その反射の指向性を表示面の各位置における照明光の光入射角度や、強さに応じて最適化することで、所定の位置に配置した照明装置５００４からの照明光を観察者側へ均一に反射するように構成したので、明るく面内の均一性が高い表示が得られるという効果がある。
【０３０９】
さらに、液晶表示装置５００１は、所定の位置に配置した照明装置５００４からの照明光に対して、反射率や、コントラスト比が高くなる表示モードや条件を選択したので、外光を利用する場合よりも高品位な画質が得られるという効果もある。
【０３１０】
さらに、このような照明装置を設けた反射型液晶表示装置を備える機器は明るい環境下では機器に備える照明装置を使用せずに外光のみで表示をみることができ、周囲の照明が暗い場合には機器に備えた照明装置を使用することで良好な視認性を確保できる。このため、周囲の環境によらず、いつでも良好な視認性を確保できるとともに、必要な場合にのみ照明装置を用いることで機器全体の消費電力が低減できるという効果がある。
【０３１１】
本実施の形態例では、特に照明装置５００４が蓋部５００３に内蔵されており、蓋部５００３を開けるという動作のみで、照明装置５００４を所定位置に配置できるため使い勝手が向上するという効果がある。
【０３１２】
図３０は、本発明の更に他の実施の形態例に係わる反射型液晶表示装置、およびそれを備えた情報機器の斜視図である。この機器４は、信号処理回路等を筐体内部に実装した本体部６００１と、本体部６００１に備え付けられた反射型液晶表示装置（以下、液晶表示装置と略す）６００２と、本体部６００１に着脱可能な照明装置５とから構成される。
【０３１３】
照明装置５は、光源と光出射部６００３と支柱６００４と支柱台座部６００５等から構成される。支柱台座６００５には例えば凹形状の溝が設けられており、これを本体部６００１に設けられた凸部にはめ込むことで本体部６００１の所定位置に固定できる構成とする。また、支柱台座部６００５には電極部が設けられ、本体部６００１に装着した際、照明装置５を点灯するための電力を本体部６００１から受け取ることができる構成とする。
【０３１４】
支柱６００４は、照明装置５の光出射部が液晶表示装置６００２の前方であり、かつその表示面から離れた所定の位置に配置されるように構成する。
【０３１５】
照明装置５の光源としては前述と同様の光源、つまり小型、高発光効率、低発熱といった条件を満たすものを用いればよく、ここでは小さな光出射部を低コストで実現できるＬＥＤ（Light Emitting Diodes）を用いた。
【０３１６】
なお、一般的には照明装置５の光出射部を大きく構成すれば、照射対称である液晶表示装置６００２を均一に照明することが容易になるため、より均一な明るさの表示が得られる。しかし、例えば携帯用のゲーム機器等のように、軽量、低コストといった要求を重視する場合には、本実施の形態例のように光出射部の小さな照明装置５を選択してもよい。
【０３１７】
液晶表示装置６００２としては、前述した実施の形態例と同様の反射型液晶表示装置を使用すれば良い。すなわち、液晶表示装置６００２は照明装置５から出射し、所定の斜め方向から表示面に入射する光に対し、高い反射率、及びより高いコントラスト比が得られる表示モード及び構成を選択する。
【０３１８】
さらに、液晶表示装置６００２の反射部は、照明装置５から出射し斜め方向から表示面に入射する光を観察者の方向へ反射するような指向性を有し、この指向性を表示面の各位置における照明光の光入射角度や、強さに応じて最適化することで表示面内で均一な表示を得るようにしたものを使用する。
【０３１９】
本実施の形態例では、照明装置が小さく、表示面左右方向でも位置毎に光入射角度が異なるので、反射部は前述した実施の形態例の様に表示面の上下方向でのみその反射の指向性を変えるのではなく、左右方向も考慮して２次元的に反射の指向性を制御する必要がある。
【０３２０】
例えば、反射部を液晶表示装置６００２に内蔵した複数のランダム配置した凸部、或いは凹部を有する反射体で構成し、凸部、或いは凹部の平面形状を半円形などの対称軸を有する形状とし、その対称軸を表示面の各位置における照明光の主光束が入射する方位角と平行とし、円弧部を照明光の入射方向に向けるようにすればよい。
【０３２１】
本実施の形態例においても、前述した実施の形態例と同様、液晶表示装置６００２の反射部は、その反射の指向性を表示面の各位置における照明光の光入射角度や、強さに応じて最適化することで、所定の位置に配置した照明装置からの照明光を観察者側へ均一に反射するように構成したので、明るく面内の均一性が高い表示が得られるなどの効果がある。
【０３２２】
また、このような照明装置を設けた反射型液晶表示装置を備える機器は明るい環境下では機器に備える照明装置を使用せずに外光のみで表示をみることができ、周囲の照明が暗い場合には機器に備えた照明装置を使用することで良好な視認性を確保できる。このため、周囲の環境によらずいつでも良好な視認性を確保できるとともに、必要な場合にのみ照明装置を用いることで機器全体の消費電力が低減できるという効果がある。
【０３２３】
本実施の形態例では、特に照明装置５を着脱可能としたため、照明装置５が不要な場合に照明装置５を取り外すことで、機器が小型、軽量となり、持ち運びや、手に持っての使用が容易になるという効果がある。
【０３２４】
【発明の効果】
上述の通り本発明の反射型液晶表示装置及びそれを備えた機器では、反射型液晶表示装置の前方で、かつその表示面から離れた位置に光出射部を備えた照明装置を移動可能に備え、機器使用者が表示部を観察する際に邪魔にならない位置から反射型液晶表示装置の表示面を照明するように構成した。
【０３２５】
つまり、照明装置は、反射型液晶表示装置の表示面直上部を除く位置で、表示面垂線方向からずれた斜めの方向から表示面を照明するように構成した。
【０３２６】
このため、導光体等の光損失の原因となるような複雑な光学系を必要としないため、光損失の少ない効率の良い照明ができる。さらに、液晶表示装置の表示面上に導光体等の付加部材を配置しないため、付加部材による表示の劣化のない見やすい画像が得られ、視差の少ない自然なペン入力が可能になる。
【０３２７】
また、照明装置を機器本体に備え、反射型液晶表示装置との位置関係を固定することで、反射型液晶表示装置表示面の各位置に入射する照明光の強度や入射角度が定まる。これに対応して反射型液晶表示装置の反射手段は、その反射特性（反射角度、指向性）を表示面の各位置における照明光の入射角度や、強さに応じて最適化し、その反射特性を表示面内で異なるよう構成する。つまり、反射手段の反射特性を照明光の入射角度や、強さに応じて最適化し、照明装置からの照明光を観察者側へ均一に反射するように構成することで、明るく面内の均一性が高い表示が得られるという効果がある。
【０３２８】
この際、液晶表示装置の表面等の界面での正反射光の方向と、画像光の方向は異なるため、照明装置の像が観察されて画質が劣化することがない。
【０３２９】
さらに、液晶表示装置は所定の位置に配置した照明装置からの照明光に対して、反射率や、コントラスト比が高くなる表示モードや条件を選択することで、照明装置使用時に外光を利用する場合よりも高品位な画質が得られるという効果もある。
【０３３０】
また、照明装置を液晶表示装置の上部に配置するように構成することで以下の効果も得られる。
【０３３１】
反射型液晶表示装置は、周囲が明るい環境下では照明装置を使用することなく外光のみでの使用が可能である。この際、外光の大部分は液晶表示装置の上方から入射する。特にキーボードを有する機器では液晶表示装置の下方から外光が入射することはなく、外光の大部分は液晶表示装置の上方から入射する。
【０３３２】
従って、照明装置使用時の照明装置の配置位置を液晶表示装置の上部とし、上方から入射する光に対応した反射特性（指向性）の反射部を構成することで、照明装置不使用時に液晶表示装置の上方から入射する外光が効率よく観察者側へ反射され、明るい画像が得られるという効果がある。
【０３３３】
さらに、暗闇の中で作業する場合は、上部に配置した照明装置からの照明光のうち液晶表示装置の表面等で正反射した光がキーボードや手元を照明することになり作業性が上がるという効果もある。
【０３３４】
また、このような照明装置を設けた反射型液晶表示装置を備える機器は、明るい環境下では機器に備える照明装置を使用せずに外光のみで表示をみることができ、周囲の照明が暗い場合には機器に備えた照明装置を使用することで良好な視認性を確保できる。このため、周囲の環境によらず、いつでも良好な視認性を確保できるとともに、必要な場合にのみ照明装置を用いることで機器全体の消費電力が低減できるという効果がある。
【０３３５】
また、液晶表示装置に備えるカラーフィルタを、照明装置からの照明光の主光束の方位角に平行となる方向に連続的に形成したことで、液晶表示装置に入射し、反射する光の一部が往路復路の行程で異なる色のカラーフィルターを通過し、吸収されることが抑制されてより明るく、色純度の高い画像が得られるという効果がある。
【０３３６】
また、液晶表示装置の反射手段を、背面側の基板と液晶層との間に内蔵した場合は、光の往路復路での位置のずれが小さくなり照明光が斜め入射するために生じる画質の劣化が抑えられて、明るく、色純度の高い表示ができるという効果がある。
【図面の簡単な説明】
【図１】本発明の一実施の形態例に係わる反射型液晶表示装置及びそれを備えた携帯情報機器の斜視図である。
【図２】図１の機器の略側面図である。
【図３】図１の照明装置の一例の概略構成を示す一部斜視図である。
【図４】図３の照明装置の一部断面図である。
【図５】図１の液晶表示装置の一例の概略構成を示す一部断面図である。
【図６】図５の液晶表示装置の反射部をなす微小傾斜反射面の説明図である。
【図７】図１の携帯情報機器の側面図である。
【図８】図５の液晶表示装置の構成条件の説明図である。
【図９】本明細書における方位角と仰角の定義の説明図である。
【図１０】図５の液晶表示装置の画像形成部の特性を示す図である。
【図１１】液晶表示装置における「暗表示部の影」の説明図である。
【図１２】図５の液晶表示装置のカラーフィルタの配置の説明図である。
【図１３】図５の液晶表示装置の反射部の一例の概略構成を示す正面図である。
【図１４】本発明の他の実施の形態例に係る液晶表示装置の一部概略断面図である。
【図１５】本発明の更に他の実施の形態例に係る液晶表示装置の一部概略断面図である。
【図１６】図１５の液晶表示装置の構成条件の説明図である。
【図１７】本発明の更に他の実施の形態例に係る液晶表示装置の一部概略断面図である。
【図１８】図１７の液晶表示装置の微細な凸部を備えた画素電極の製造工程を説明するための一部断面図である。
【図１９】図１８の画素電極の凸部の製造に使用するフォトマスクの一例を示す一部正面図である。
【図２０】図１８の画素電極の凸部の形状の一例を示す図である。
【図２１】図１８の画素電極の凸部の形状の他の例を示す図である。
【図２２】図１８の画素電極の凸部形状の説明図である。
【図２３】図１７の液晶表示装置の構成条件の説明図である。
【図２４】図１７の液晶表示装置の特性を示す図である。
【図２５】図１の照明装置の他の例の一部断面図である。
【図２６】図２５の照明装置の概略構成を示す一部斜視図である。
【図２７】本発明の他の実施の形態例に係わる反射型液晶表示装置、およびそれを備えた情報機器の斜視図である。
【図２８】図２７の機器の概略構成を示す側面図である。
【図２９】本発明の更に他の実施の形態例に係わる反射型液晶表示装置、およびそれを備えた情報機器の斜視図である。
【図３０】本発明の更に他の実施の形態例に係わる反射型液晶表示装置、およびそれを備えた情報機器の斜視図である。
【符号の説明】
１,２,３,４…機器、５,２００,４００４,５００４…照明装置、１００,４００３,５００１,６００２…反射型液晶表示装置、１０１…画像形成部、１１０…第１の透明基板、１１２,１２２,２０６０,２０９０,３０６０,３２１０…配向膜、１１３,１２１,２０７０,２１００,３０５０…透明電極、１２０…第２の透明基板、１３０,２０８０,３１３０…液晶層、１７０,１８０,２０１０,３０１０…偏光板、１６０２０２０,２０３０,３０２０…位相差板、１９０,２２１１…反射部、１９１,２２１０…微小傾斜反射面、１９２,２２２１…光拡散層、１９３,２２２０…透明粒子、１９４,２２３０…透明媒体、２１０…光源、３００,４００１,５００２,６００１…本体部、４００,４００５…可動支持部、５００,４００２,５００３…蓋部、７００…観察者、９００…画像光、１０００…正反射光、１１１０…ホログラム、２０４０,３０３０…透明基板、２０５０,３０４０…カラーフィルタ、２２００,３１００…反射基板、２３００,３０９０…絶縁層、３０７０…画素電極、３２００…絶縁層を形成し平坦化した反射基板、４０１,４０５,４００６,４００７…回転軸部、６００３…光出射部
【図１】
0003694612.tif 000002
【図２】
0003694612.tif 000003
【図３】
0003694612.tif 000004
【図４】
0003694612.tif 000005
【図５】
0003694612.tif 000006
【図６】
0003694612.tif 000007
【図７】
0003694612.tif 000008
【図８】
0003694612.tif 000009
【図９】
0003694612.tif 000010
【図１０】
0003694612.tif 000011
【図１１】
0003694612.tif 000012
【図１２】
0003694612.tif 000013
【図１３】
0003694612.tif 000014
【図１４】
0003694612.tif 000015
【図１５】
0003694612.tif 000016
【図１６】
0003694612.tif 000017
【図１７】
0003694612.tif 000018
【図１８】
0003694612.tif 000019
【図１９】
0003694612.tif 000020
【図２０】
0003694612.tif 000021
【図２１】
0003694612.tif 000022
【図２２】
0003694612.tif 000023
【図２３】
0003694612.tif 000024
【図２４】
0003694612.tif 000025
【図２５】
0003694612.tif 000026
【図２６】
0003694612.tif 000027
【図２７】
0003694612.tif 000028
【図２８】
0003694612.tif 000029
【図２９】
0003694612.tif 000030
【図３０】
0003694612.tif 000031